(57)【要約】【課題】印刷用紙サイズよりも元画像サイズが大きな場合に元画像サイズの元画像全てを、縮小せずに印刷すること。【解決手段】印刷対象となる元画像の画像データおよび前記元画像のサイズである元画像サイズを記憶する元画像記憶手段（Ｃ１）と、前記元画像の印刷に使用する印刷用紙のサイズである印刷用紙サイズよりも前記元画像サイズが大きい場合に前記元画像を前記印刷用紙サイズの複数の印刷用紙に自動的に分割して印刷することを指定する分割印刷指定データを作成する分割印刷指定データ作成手段（Ｃ５）とを有する画像処理装置。【選択図】    図２
2004289651.tif 000002
【特許請求の範囲】
【請求項１】
下記の構成要件（Ａ０１），（Ａ０２）を備えた画像処理装置、
（Ａ０１）印刷対象となる元画像の画像データおよび前記元画像のサイズである元画像サイズを記憶する元画像記憶手段、
（Ａ０２）前記元画像の印刷に使用する印刷用紙のサイズである印刷用紙サイズよりも前記元画像サイズが大きい場合に前記元画像を前記印刷用紙サイズの複数の印刷用紙に自動的に分割して印刷することを指定する分割印刷指定データを作成する分割印刷指定データ作成手段。
【請求項２】
下記の構成要件（Ａ０１），（Ａ０２′）を備えた画像処理装置、
（Ａ０１）印刷対象となる元画像の画像データおよび前記元画像のサイズである元画像サイズを記憶する元画像記憶手段、
（Ａ０２′）前記元画像の印刷に使用する印刷用紙のサイズである印刷用紙サイズよりも前記元画像サイズが大きい場合に、前記元画像を前記印刷用紙サイズの複数の印刷用紙に自動的に分割して印刷するために各印刷用紙に対して分割印刷画像データを作成する分割印刷画像データ作成手段。
【請求項３】
下記の構成要件（Ａ０３）を備えた請求項１又は２のいずれか記載の画像処理装置、
（Ａ０３）前記元画像を印刷する際に必要な印刷パラメータとして、前記印刷用紙のサイズよりも前記元画像サイズが大きい場合に前記元画像を前記印刷用紙サイズの複数の用紙に自動的に分割して印刷する自動分割印刷を実行するか否かを指定する分割印刷指定手段。
【請求項４】
下記の構成要件（Ａ０４），（Ａ０５）を備えた請求項１ないし３のいずれか記載の画像処理装置、
（Ａ０４）前記印刷用紙サイズよりも前記元画像サイズが大きい場合に前記元画像を複数の前記印刷用紙に分割して印刷する際に、元画像を９０度回転した状態で前記印刷用紙に分割印刷した方が印刷用紙の使用枚数が少なくなるか否かを判別する回転前後使用用紙枚数判別手段、
（Ａ０５）元画像を９０度回転した状態で前記印刷用紙に分割印刷した方が印刷用紙の使用枚数が少なくなる場合には、前記元画像を９０度回転した状態で分割印刷することを設定する自動回転設定手段。
【請求項５】
下記の構成要件（Ａ０６）を備えた請求項４記載の画像処理装置、
（Ａ０６）前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合に、前記前記元画像を９０度回転した状態で分割印刷する場合には、前記元画像を回転する方向である自動回転方向を自動的に設定する自動回転方向自動設定手段。
【請求項６】
下記の構成要件（Ａ０７）を備えた請求項１ないし５のいずれか記載の画像処理装置、
（Ａ０７）印刷された前記印刷用紙の綴じ位置をユーザの入力に応じて設定する綴じ位置設定手段。
【請求項７】
下記の構成要件（Ａ０７），（Ａ０８）を備えたことを特徴とする請求項５記載の画像処理装置、
（Ａ０７）印刷された前記印刷用紙の綴じ位置をユーザの入力に応じて設定する綴じ位置設定手段、
（Ａ０８）前記綴じ位置の設定に応じて前記自動回転方向を自動設定する前記自動回転方向自動設定手段。
【請求項８】
下記の構成要件（Ａ０９）を備えた請求項１ないし７のいずれか記載の画像処理装置、
（Ａ０９）前記元画像を分割して印刷する順序である分割印刷順序をユーザの入力に応じて設定する分割印刷順序設定手段。
【請求項９】
下記の構成要件（Ａ０７），（Ａ０８），（Ａ０１０）を備えた請求項５記載の画像処理装置、
（Ａ０７）印刷された前記印刷用紙の綴じ位置をユーザの入力に応じて設定する綴じ位置設定手段、
（Ａ０８）前記綴じ位置の設定に応じて前記自動回転方向を自動設定する前記自動回転方向自動設定手段、
（Ａ０１０）前記綴じ位置及び前記自動回転方向の設定に基づいて、前記元画像を分割して印刷する順序である分割印刷順序を自動的に設定する分割印刷順序自動設定手段。
【請求項１０】
下記の構成要件（Ａ０１１）を備えた請求項１ないし９のいずれか記載の画像処理装置、
（Ａ０１１）分割印刷時に使用される複数の印刷用紙が並べて配置された状態で形成される仕上がり用紙のサイズと、前記元画像サイズと、ユーザの入力により設定される画像位置指定値とに応じて、仕上がり用紙に対する元画像が印刷される位置である画像位置を設定する画像位置設定手段。
【請求項１１】
下記の構成要件（Ａ０７），（Ａ０８），（Ａ０１２）を備えた請求項１０記載の画像処理装置、
（Ａ０７）印刷された前記印刷用紙の綴じ位置をユーザの入力に応じて設定する綴じ位置設定手段、
（Ａ０８）前記綴じ位置の設定に応じて前記元画像を９０度回転させる際の回転方向である自動回転方向を自動設定する自動回転方向自動設定手段、
（Ａ０１２）前記綴じ位置及び自動回転方向に基づいて、分割印刷時に使用される複数の印刷用紙が並べて配置された状態で形成される仕上がり用紙に対する元画像が印刷される位置である画像位置を自動的に設定する画像位置自動設定手段。
【請求項１２】
下記の構成要件（Ａ０１３）を備えた請求項１ないし１１のいずれか記載の画像処理装置、
（Ａ０１３）前記元画像を分割して印刷する場合に、元画像が分割された分割画像が印刷される分割画像印刷用紙どうしの位置関係を示す分割位置情報を前記各分割画像印刷用紙に割り付ける分割位置情報割付手段。
【請求項１３】
下記の構成要件（Ａ０１４）を備えた請求項１ないし１２のいずれか記載の画像処理装置、
（Ａ０１４）前記元画像に対して上下左右のいずれかの方向を基準方向として設定し、元画像が分割された分割画像に前記基準方向を示す基準方向情報を割り付ける基準方向情報割付手段。
【請求項１４】
下記の構成要件（Ａ０１５），（Ａ０１６）を備えた請求項１ないし１３のいずれか記載の画像処理装置、
（Ａ０１５）両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となるか否かを判別する連続画像判別手段、
（Ａ０１６）前記連続画像判別手段によって、分割画像を１頁づつずらした場合に前記先の頁およびその次の頁の分割画像が連続画像となると判別された場合には、前記先の頁に白紙の画像データを割りつけて、前記先の頁およびそれ以降の頁の分割画像データを１頁ずらした頁に割りつける頁調節手段。
【請求項１５】
下記の構成要件（Ｂ０１）〜（Ｂ０３）を備えた画像処理装置、
（Ｂ０１）印刷対象となる元画像の画像データおよび前記元画像のサイズである元画像サイズを記憶する元画像記憶手段、
（Ｂ０２）前記元画像を印刷用紙に印刷する際に必要な印刷パラメータの設定を行うための画面である印刷パラメータ設定画面を表示する印刷パラメータ設定画面表示手段、
（Ｂ０３）前記印刷を行う印刷用紙のサイズよりも前記元画像サイズが大きい場合に前記元画像を前記印刷用紙サイズの複数の用紙に自動的に分割して印刷する自動分割印刷を実行するか否か指定するための分割印刷指定画像を前記印刷パラメータ設定画面に表示する分割印刷指定画像表示手段と、前記分割印刷指定画像への入力により指定される自動分割印刷を実行するか否かを記憶する分割印刷可否記憶手段とを有する分割印刷指定手段。
【請求項１６】
下記の構成要件（Ｂ０３′）を備えた請求項１５記載の画像処理装置、
（Ｂ０３′）前記印刷を行う印刷用紙のサイズよりも前記元画像サイズが大きい場合に前記元画像を前記印刷用紙サイズの複数の用紙に自動的に分割して印刷する自動分割印刷を実行するか否かを指定するための分割印刷可否指定値の初期値として分割印刷可を記憶する分割印刷可否初期指定値記憶手段。
【請求項１７】
下記の構成要件（Ｂ０４）を備えた請求項１５または１６のいずれか記載の画像処理装置、
（Ｂ０４）前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合には、前記元画像用紙を自動的に９０度回転した状態で分割印刷することを指定するための自動回転指定画像を前記印刷パラメータ設定画面に表示する自動回転指定画像表示手段と、前記自動回転指定画像への入力により指定される自動回転の指定の有無を記憶する自動回転指定有無記憶手段とを有する自動回転指定手段。
【請求項１８】
下記の構成要件（Ｂ０４′）を備えた請求項１７記載の画像処理装置、
（Ｂ０４′）前記元画像用紙を自動的に９０度回転した状態で分割印刷する際に、元画像を自動的に回転させる方向である自動回転方向の指定の初期値を記憶する自動回転方向初期指定値記憶手段。
【請求項１９】
下記の構成要件（Ｂ０５）を備えたことを特徴とする請求項１５ないし１８のいずれか記載の画像処理装置、
（Ｂ０５）印刷された前記印刷用紙の綴じ位置を指定するための綴じ位置指定画像を前記印刷パラメータ設定画面に表示する綴じ位置指定画像表示手段と、前記綴じ位置指定画像への入力により指定される綴じ位置指定値を記憶する綴じ位置記憶手段とを有する綴じ位置指定手段。
【請求項２０】
下記の構成要件（Ｂ０５′）を備えたことを特徴とする請求項２０記載の画像処理装置、
（Ｂ０５′）印刷された前記印刷用紙の綴じ位置を指定するための綴じ位置指定値の初期値を記憶する綴じ位置指定初期値記憶手段。
【請求項２１】
下記の構成要件（Ｂ０６）を備えた請求項１５ないし２０のいずれか記載の画像処理装置、
（Ｂ０６）前記元画像を分割して印刷する順序である分割印刷順序を指定するための分割印刷順序指定画像を前記印刷パラメータ設定画面に表示する分割印刷順序指定画像表示手段と、前記分割印刷順序指定画像への入力により指定される分割印刷順序を記憶する分割印刷順序記憶手段とを有する分割印刷順序指定手段。
【請求項２２】
下記の構成要件（Ｂ０６′）を備えた請求項２１記載の画像処理装置、
（Ｂ０６′）印刷された前記印刷用紙の綴じ位置及び前記自動回転方向に基づいて、前記分割印刷順序を自動的に設定することを指定するための分割印刷順序自動指定画像を前記印刷パラメータ設定画面に表示する分割印刷順序自動指定画像表示手段と、前記分割印刷順序自動指定画像への入力により指定される分割印刷順序自動設定の指定の有無を記憶する分割印刷順序自動設定指定記憶手段とを有する分割印刷順序自動設定指定手段。
【請求項２３】
下記の構成要件（Ｂ０７）を備えた請求項１５ないし２２のいずれか記載の画像処理装置、
（Ｂ０７）分割印刷時に使用される複数の印刷用紙が並べて配置された状態で形成される仕上がり用紙に対する元画像が印刷される位置である画像位置を指定するための画像位置指定画像を前記印刷パラメータ設定画面に表示する画像位置指定画像表示手段と、前記画像位置指定画像への入力により指定される画像位置指定値を記憶する画像位置記憶手段とを有する画像位置指定手段。
【請求項２４】
下記の構成要件（Ｂ０８）を備えた請求項１５ないし２３のいずれか記載の画像処理装置、
（Ｂ０８）前記元画像を分割して印刷する場合、前記元画像が分割された分割画像が印刷される分割画像印刷用紙どうしの位置関係を示す分割位置情報を前記各分割画像印刷用紙に割り付けることを指定するための分割位置情報割付指定画像を前記印刷パラメータ設定画面に表示する分割位置情報割付指定画像表示手段と、前記分割位置情報割付指定画像への入力により指定される分割位置情報割付の指定の有無を記憶する分割位置情報割付指定記憶手段とを有する分割位置情報割付指定手段。
【請求項２５】
下記の構成要件（Ｂ０９）を備えた請求項１５ないし２４のいずれか記載の画像処理装置、
（Ｂ０９）前記元画像に対して上下左右のいずれかの方向を基準方向として設定し、元画像が分割された分割画像に前記基準方向を示す基準方向情報を割り付けることを指定するための基準方向情報割付指定画像を前記印刷パラメータ設定画面に表示する基準方向情報割付指定画像表示手段と、前記基準方向情報割付指定画像への入力により指定される基準方向情報割付の指定の有無を記憶する基準方向情報割付指定記憶手段とを有する基準方向情報指定手段。
【請求項２６】
下記の構成要件（Ｂ０１０）を備えた請求項１５ないし２５のいずれか記載の画像処理装置、
（Ｂ０１０）両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となる場合には、前記先の頁に白紙の画像データを割りつけて、前記先の頁およびそれ以降の頁の分割画像データを１頁ずらした頁に割りつける頁調節を実行するか否かを指定するための頁調節指定画像を前記印刷パラメータ設定画面に表示する頁調節指定画像表示手段と、前記頁調節指定画像への入力により指定される頁調節の指定の有無を記憶する頁調節指定有無記憶手段とを有する頁調節指定手段。
【発明の詳細な説明】
【０００１】
【産業上の利用分野】
本発明は、印刷対象となる元画像を印刷する際に使用される印刷パラメータの設定や前記印刷パラメータに基づく印刷処理を行う画像処理装置に関し、特に、元画像のサイズが印刷される印刷用紙のサイズよりも大きな場合に元画像の全てを印刷する画像処理装置に関する。
【０００２】
【従来の技術】
従来、複数の異なる用紙サイズの元画像が含まれた複数ページの元画像データを、指定された単一の用紙サイズの印刷用紙に印刷する場合、元画像サイズが印刷用紙サイズよりも大きなページは、元画像サイズのうち印刷用紙サイズに対応した一部の領域だけしか印刷されないという問題があった。
図３９は従来の画像処理装置における印刷画像データ作成処理のフローチャートである。
図３９のＳＴ０１において、印刷対象ページの元画像サイズが印刷用紙サイズよりも大きいか否かを判別する。ノー（Ｎ）の場合は、ＳＴ０２に移り、イエス（Ｙ）の場合はＳＴ０３に移る。
【０００３】
ＳＴ０２において、元画像全てが印刷用紙に収まるので、元画像全てを印刷用紙に割り付け、元画像データから印刷するための印刷画像データを作成し、印刷する。そして、ＳＴ０４に移る。
ＳＴ０３において、元画像全てが印刷用紙に収まりきらないので、元画像の左上から印刷用紙サイズ分の画像を割り付け、割り付けられた画像データに応じた印刷画像データを作成し、印刷する。そして、ＳＴ０４に移る。
ＳＴ０４において、残りページがあるか否かを判別する。イエス（Ｙ）の場合はＳＴ０１に戻り、ノー（Ｎ）の場合は印刷画像データ作成処理を終了する。
【０００４】
図４０は印刷対象となる元画像データの一例の説明図であり、図４０Ａは１ページ目、元画像サイズＡ４縦の元画像の説明図、図４０Ｂは２ページ目、元画像サイズＡ３横の元画像の説明図、図４０Ｃは３ページ目、元画像サイズＡ３縦の元画像の説明図である。
図４１は前記図４０の元画像を前記図３９に示す印刷画像データ作成処理で印刷した場合の印刷画像の説明図であり、図４１Ａは１ページ目の印刷画像の説明図、図４１Ｂは２ページ目の印刷画像の説明図、図４１Ｃは３ページ目の印刷画像の説明図である。
【０００５】
前記図３９のＳＴ０１〜ＳＴ０４の印刷画像データ作成処理によって、図４０に示す、異なる元画像サイズの複数ページの元画像を印刷用紙サイズＡ４縦の印刷用紙を指定して印刷すると、図４１に示すように、２ページ目及び３ページ目の画像が一部しか印刷されない。即ち、１ページ目の元画像は、元画像サイズが印刷用紙サイズと同じためＳＴ０２により全元画像が印刷されるが、２ページ及び３ページの元画像は、元画像サイズが印刷用紙サイズより大きいのでＳＴ０３により印刷用紙サイズに対応する一部しか印刷されない。
【０００６】
この問題を解決するために次の従来技術（Ｊ０１）が従来公知である。
（Ｊ０１）特許文献１（特開２００１−１９７２８６号公報）記載の技術
特許文献１には、原稿画像のサイズ（元画像サイズ）が、印刷用紙のサイズ（又は印刷用紙の１ページを等分割した領域である印刷領域）より大きな場合に、原稿画像（元画像）を印刷用紙サイズに収まるように縮小して印刷する技術が記載されている。
【０００７】
【特許文献１】特開２００１−１９７２８６号公報（段落番号「０００７」、「００２６」、「００４４」〜「００５２」）
【０００８】
【発明が解決しようとする課題】
前記従来技術（Ｊ０１）では、複数ページの元画像が印刷された画像印刷用紙において、縮小されたページと縮小されていないページとが混在する。したがって、例えば、あるページの文字は大きく印刷されているのに対し、別のページでは文字が小さく印刷されている等の状況が発生し、印刷画像が読みにくくなる問題がある。また、設計図面等の縮尺が重要な複数の画像を印刷した場合に、縮小された画像と縮小されていない画像とが混在すると、縮尺を容易に理解できなくなる問題も発生する。また、どのページが縮小されているのかを印刷された画像から把握しなければならず、ユーザの誤解を招いたり、理解に時間がかかる等の問題もある。
【０００９】
本発明は、前述の事情に鑑み、異なる元画像サイズが含まれる元画像の印刷において、下記（Ｏ０１），（Ｏ０２）の記載内容を技術的課題とする。
（Ｏ０１）印刷用紙サイズよりも元画像サイズが大きな場合に元画像サイズの元画像全てを、縮小せずに印刷すること。
（Ｏ０２）印刷された画像と元画像との対応を画像が印刷された印刷画像用紙から把握できるようにすること。
【００１０】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【００１１】
（本発明）
前記課題を解決するために、第１発明の画像処理装置は、下記の構成要件（Ａ０１），（Ａ０２）を備えたことを特徴とする、
（Ａ０１）印刷対象となる元画像の画像データおよび前記元画像のサイズである元画像サイズを記憶する元画像記憶手段（Ｃ１，Ｃ３１Ａ）、
（Ａ０２）前記元画像の印刷に使用する印刷用紙のサイズである印刷用紙サイズよりも前記元画像サイズが大きい場合に前記元画像を前記印刷用紙サイズの複数の印刷用紙に自動的に分割して印刷することを指定する分割印刷指定データを作成する分割印刷指定データ作成手段（Ｃ５）。
【００１２】
前記構成要件（Ａ０１），（Ａ０２）を備えた画像処理装置では、元画像記憶手段（Ｃ１，Ｃ３１Ａ）は、印刷対象となる元画像の画像データおよび前記元画像のサイズである元画像サイズを記憶する。分割印刷指定データ作成手段（Ｃ５）は、前記元画像の印刷に使用する印刷用紙のサイズである印刷用紙サイズよりも前記元画像サイズが大きい場合に前記元画像を前記印刷用紙サイズの複数の印刷用紙に自動的に分割して印刷することを指定する分割印刷指定データを作成する。
したがって、第１発明の画像処理装置によって作成された分割印刷指定データによって、元画像の印刷に使用する印刷用紙のサイズである印刷用紙サイズよりも前記元画像サイズが大きい場合に前記元画像を前記印刷用紙サイズの複数の印刷用紙に自動的に分割して印刷することが指定されているので、印刷用紙サイズよりも元画像サイズが大きな場合に元画像サイズの元画像全てを、縮小せずに分割して複数の印刷用紙に印刷することができる。この結果、複数ページの元画像データにおいて、元画像サイズがページ毎に異なる場合や、例えば、全てＡ３の元画像をＡ４の印刷用紙に印刷したい場合にも、画像の一部が印刷されたり、縮小して印刷されることを防止することができる。
【００１３】
前記課題を解決するために、第２発明の画像処理装置は、下記の構成要件（Ａ０１），（Ａ０２′）を備えたことを特徴とする、
（Ａ０１）印刷対象となる元画像の画像データおよび前記元画像のサイズである元画像サイズを記憶する元画像記憶手段（Ｃ１，Ｃ３１Ａ）、
（Ａ０２′）前記元画像の印刷に使用する印刷用紙のサイズである印刷用紙サイズよりも前記元画像サイズが大きい場合に、前記元画像を前記印刷用紙サイズの複数の印刷用紙に自動的に分割して印刷するために各印刷用紙に対して分割印刷画像データを作成する分割印刷画像データ作成手段（Ｃ３６）。
【００１４】
前記構成要件（Ａ０１），（Ａ０２′）を備えた第２発明の画像処理装置では、元画像記憶手段（Ｃ１，Ｃ３１Ａ）は、印刷対象となる元画像の画像データおよび前記元画像のサイズである元画像サイズを記憶する。分割印刷画像データ作成手段（Ｃ３６）は、前記元画像の印刷に使用する印刷用紙のサイズである印刷用紙サイズよりも前記元画像サイズが大きい場合に、前記元画像を前記印刷用紙サイズの複数の印刷用紙に自動的に分割して印刷するために各印刷用紙に対して分割印刷画像データを作成する。
したがって、第２発明の画像処理装置によって、元画像の印刷に使用する印刷用紙のサイズである印刷用紙サイズよりも前記元画像サイズが大きい場合に、自動的に分割印刷画像データが作成される。前記分割印刷画像データを印刷することによって、印刷用紙サイズよりも元画像サイズが大きな場合に元画像サイズの元画像全てが、縮小されずに分割して複数の印刷用紙に印刷される。この結果、複数ページの元画像データにおいて、元画像サイズがページ毎に異なる場合や、例えば、全てＡ３の元画像をＡ４の印刷用紙に印刷したい場合にも、画像の一部が印刷されたり、縮小して印刷されることを防止することができる。
【００１５】
また、前記第１発明の画像処理装置または第２発明の画像処理装置は、下記の構成要件（Ａ０３）を備えることも可能である、
（Ａ０３）前記元画像を印刷する際に必要な印刷パラメータとして、前記印刷用紙のサイズよりも前記元画像サイズが大きい場合に前記元画像を前記印刷用紙サイズの複数の用紙に自動的に分割して印刷する自動分割印刷を実行するか否かをユーザの入力に応じて指定する分割印刷指定手段（Ｃ４）。
したがって、前記分割印刷指定手段（Ｃ４）によって、自動分割を行うか否かをユーザが指定することができる。
【００１６】
また、前記第１発明の画像処理装置または第２発明の画像処理装置は、下記の構成要件（Ａ０４），（Ａ０５）を備えることも可能である、
（Ａ０４）前記印刷用紙サイズよりも前記元画像サイズが大きい場合に前記元画像を複数の前記印刷用紙に分割して印刷する際に、元画像を９０度回転した状態で前記印刷用紙に分割印刷した方が印刷用紙の使用枚数が少なくなるか否かを判別する回転前後使用用紙枚数判別手段（Ｃ３５Ａ）、
（Ａ０５）元画像を９０度回転した状態で前記印刷用紙に分割印刷した方が印刷用紙の使用枚数が少なくなる場合には、前記元画像を９０度回転した状態で分割印刷することを設定する自動回転設定手段（Ｃ３５Ｂ）。
【００１７】
前記構成要件（Ａ０４），（Ａ０５）を備えた第１発明または第２発明の画像処理装置では、回転前後使用用紙枚数判別手段（Ｃ３５Ａ）は、前記印刷用紙サイズよりも前記元画像サイズが大きい場合に前記元画像を複数の前記印刷用紙に分割して印刷する際に、元画像を９０度回転した状態で前記印刷用紙に分割印刷した方が印刷用紙の使用枚数が少なくなるか否かを判別する。そして、元画像を９０度回転した状態で前記印刷用紙に分割印刷した方が印刷用紙の使用枚数が少なくなる場合には、自動回転設定手段（Ｃ３５Ｂ）によって、前記元画像を９０度回転した状態で分割印刷することが設定される。
したがって、元画像を９０度回転した状態で前記印刷用紙に分割印刷した方が印刷用紙の使用枚数が少なくなる場合には、元画像を９０度回転した状態で印刷装置等に印刷させることができ、元画像を９０度回転しない状態で前記印刷用紙に分割印刷した方が印刷用紙の使用枚数が少なくなる場合には、元画像を回転させずに印刷させることができる。この結果、印刷用紙の使用枚数を削減することができ、印刷コストを低減することができる。また、使用枚数が少なくなるように設定されるので、画像が印刷されていない余白領域を使用枚数が多くなる場合と比較して小さくすることができる。
【００１８】
また、前記第１発明の画像処理装置または第２発明の画像処理装置は、下記の構成要件（Ａ０６）を備えることも可能である、
（Ａ０６）前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合に、前記前記元画像を９０度回転した状態で分割印刷する場合には、前記元画像を回転する方向である自動回転方向を自動的に設定する自動回転方向自動設定手段（Ｃ３５Ｂ１）。
したがって、自動回転方向自動設定手段（Ｃ３５Ｂ１）によって、元画像を回転する方向を自動的に設定することができ、印刷するたびにユーザが指定する手間を省くことができ、作業能率を高めることができる。
【００１９】
また、前記第１発明の画像処理装置または第２発明の画像処理装置は、下記の構成要件（Ａ０７）を備えることも可能である、
（Ａ０７）印刷された前記印刷用紙の綴じ位置をユーザの入力に応じて設定する綴じ位置設定手段（Ｃ３５Ｃ）。
したがって、前記印刷用紙の綴じ位置をユーザが入力して指定することができる。
【００２０】
また、前記第１発明の画像処理装置または第２発明の画像処理装置は、下記の構成要件（Ａ０７），（Ａ０８）を備えることも可能である、
（Ａ０７）印刷された前記印刷用紙の綴じ位置をユーザの入力に応じて設定する綴じ位置設定手段（Ｃ３５Ｃ）、
（Ａ０８）前記綴じ位置の設定に応じて前記自動回転方向を自動設定する前記自動回転方向自動設定手段（Ｃ３５Ｂ１）。
したがって、自動回転方向をユーザが設定しなくても、綴じ位置の設定に基づいて自動的に設定されるので、ユーザの手間を省くことができる。
【００２１】
また、前記第１発明の画像処理装置または第２発明の画像処理装置は、下記の構成要件（Ａ０９）を備えることも可能である、
（Ａ０９）前記元画像を分割して印刷する順序である分割印刷順序をユーザの入力に応じて設定する分割印刷順序設定手段（Ｃ３５Ｄ）。
したがって、ユーザが指定した分割印刷順序で分割して印刷することができる。
【００２２】
また、前記第１発明の画像処理装置または第２発明の画像処理装置は、下記の構成要件（Ａ０７），（Ａ０８），（Ａ０１０）を備えることも可能である、
（Ａ０７）印刷された前記印刷用紙の綴じ位置をユーザの入力に応じて設定する綴じ位置設定手段（Ｃ３５Ｃ）、
（Ａ０８）前記綴じ位置の設定に応じて前記自動回転方向を自動設定する前記自動回転方向自動設定手段（Ｃ３５Ｂ１）、
（Ａ０１０）前記綴じ位置及び前記自動回転方向の設定に基づいて、前記元画像を分割して印刷する順序である分割印刷順序を自動的に設定する分割印刷順序自動設定手段（Ｃ３５Ｄ１）。
したがって、ユーザが綴じ位置を指定しておけば、自動回転方向及び分割印刷順序が自動的に設定されるので、ユーザの手間を省くことができる。
【００２３】
また、前記第１発明の画像処理装置または第２発明の画像処理装置は、下記の構成要件（Ａ０１１）を備えることも可能である、
（Ａ０１１）分割印刷時に使用される複数の印刷用紙が並べて配置された状態で形成される仕上がり用紙のサイズと、前記元画像サイズと、ユーザの入力により設定される画像位置指定値とに応じて、仕上がり用紙に対する元画像が印刷される位置である画像位置を設定する画像位置設定手段（Ｃ３５Ｅ）。
したがって、ユーザが指定した画像位置指定値に基づいて、元画像の画像位置が設定され、前記画像位置の設定に応じて元画像を分割して印刷することができる。
【００２４】
また、前記第１発明の画像処理装置または第２発明の画像処理装置は、下記の構成要件（Ａ０７），（Ａ０８），（Ａ０１２）を備えることができる、
（Ａ０７）印刷された前記印刷用紙の綴じ位置をユーザの入力に応じて設定する綴じ位置設定手段（Ｃ３５Ｃ）、
（Ａ０８）前記綴じ位置の設定に応じて前記元画像を９０度回転させる際の回転方向である自動回転方向を自動設定する自動回転方向自動設定手段（Ｃ３５Ｂ１）、
（Ａ０１２）前記綴じ位置及び自動回転方向に基づいて前記画像位置を自動的に設定する画像位置自動設定手段（Ｃ３５Ｅ１）。
したがって、ユーザは綴じ位置を指定しておけば、自動回転方向及び画像位置が自動的に設定されるので、ユーザの手間を省くことができる。
【００２５】
また、前記第１発明の画像処理装置または第２発明の画像処理装置は、下記の構成要件（Ａ０１３）を備えることができる、
（Ａ０１３）前記元画像を分割して印刷する場合に、元画像が分割された分割画像が印刷される分割画像印刷用紙どうしの位置関係を示す分割位置情報を前記各分割画像印刷用紙に割り付ける分割位置情報割付手段（Ｃ３５Ｆ）。
したがって、前記分割位置情報によって、分割画像が印刷された分割画像印刷用紙どうしの位置関係を把握することが可能となる。したがって、分割位置情報を分割画像印刷用紙に印刷した場合、ユーザが分割画像印刷用紙どうしの位置関係を把握することができると共に、位置関係に基づいて元画像が再現されるように分割画像印刷用紙を配置することが容易にできる。
【００２６】
また、前記第１発明の画像処理装置または第２発明の画像処理装置は、下記の構成要件（Ａ０１４）を備えることができる、
（Ａ０１４）前記元画像に対して上下左右のいずれかの方向を基準方向として設定し、元画像が分割された分割画像に前記基準方向を示す基準方向情報を割り付ける基準方向情報割付手段（Ｃ３５Ｇ）。
したがって、前記基準方向によって、元画像と分割画像印刷用紙との上下左右の位置関係及び分割画像印刷用紙どうしの上下左右の位置関係を容易に把握することができる。また、元画像を９０度回転した場合、自動的に回転して印刷されたことを把握することも可能となる。
【００２７】
また、前記第１発明の画像処理装置または第２発明の画像処理装置は、下記の構成要件（Ａ０１５），（Ａ０１６）を備えることも可能である、
（Ａ０１５）両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となるか否かを判別する連続画像判別手段（Ｃ３５Ｈ）、
（Ａ０１６）前記連続画像判別手段（Ｃ３５Ｈ）によって、分割画像を１頁づつずらした場合に前記先の頁およびその次の頁の分割画像が連続画像となると判別された場合には、前記先の頁に白紙の画像データを割りつけて、前記先の頁およびそれ以降の頁の分割画像データを１頁ずらした頁に割りつける頁調節手段（Ｃ３５Ｉ）。
したがって、連続画像判別手段（Ｃ３５Ｈ）で連続画像となると判別された場合に、前記先の頁に白紙を割り付けて、頁順を１頁ずつずらすことによって、両面印刷された印刷用紙を綴じた場合に、見開き時に、連続画像が形成されるよう調節することができる。
【００２８】
（第３発明）
また、前記課題を解決するために第３発明の画像処理装置は、下記の構成要件（Ｂ０１）〜（Ｂ０３）を備えたことを特徴とする、
（Ｂ０１）印刷対象となる元画像の画像データおよび前記元画像のサイズである元画像サイズを記憶する元画像記憶手段（Ｃ１，Ｃ３１Ａ）、
（Ｂ０２）前記元画像を印刷用紙に印刷する際に必要な印刷パラメータの設定を行うための画面である印刷パラメータ設定画面（１）を表示する印刷パラメータ設定画面表示手段（Ｃ２）、
（Ｂ０３）前記印刷を行う印刷用紙のサイズよりも前記元画像サイズが大きい場合に前記元画像を前記印刷用紙サイズの複数の用紙に自動的に分割して印刷する自動分割印刷を実行するか否か指定するための分割印刷指定画像（４）を前記印刷パラメータ設定画面（１）に表示する分割印刷指定画像表示手段（Ｃ４Ａ）と、前記分割印刷指定画像（４）への入力により指定される自動分割印刷を実行するか否かを記憶する分割印刷可否記憶手段（Ｃ４Ｂ）とを有する分割印刷指定手段（Ｃ４）。
【００２９】
前記構成要件（Ｂ０１）〜（Ｂ０３）を備えた第３発明の画像処理装置では、元画像記憶手段（Ｃ１，Ｃ３１Ａ）は、印刷対象となる元画像の画像データおよび前記元画像のサイズである元画像サイズを記憶する。印刷パラメータ設定画面表示手段（Ｃ２）は、前記元画像を印刷用紙に印刷する際に必要な印刷パラメータの設定を行うための画面である印刷パラメータ設定画面（１）を表示する。前記印刷パラメータ設定画面（１）には、分割印刷指定手段（Ｃ４）の分割印刷指定画像表示手段（Ｃ４Ａ）によって、前記印刷を行う印刷用紙のサイズよりも前記元画像サイズが大きい場合に前記元画像を前記印刷用紙サイズの複数の用紙に自動的に分割して印刷する自動分割印刷を実行するか否か指定するための分割印刷指定画像（４）が表示される。そして、分割印刷可否記憶手段（Ｃ４Ｂ）によって、前記分割印刷指定画像（４）への入力により指定される自動分割印刷を実行するか否かが記憶される。
【００３０】
したがって、前記第３発明の画像処理装置は、印刷パラメータ設定画面（１）に表示された分割印刷指定画像（４）を確認しながら自動分割印刷を実行するか否かを指定することができる。したがって、自動分割印刷の実行を指定した場合、前記元画像サイズが印刷用紙サイズよりも小さな画像は普通に印刷され、印刷用紙サイズよりも大きな元画像が自動的に分割されて印刷される。したがって、印刷用紙サイズよりも元画像サイズが大きな場合に元画像サイズの元画像全てを、縮小せずに分割して複数の印刷用紙に印刷することができる。この結果、複数ページの元画像データにおいて、元画像サイズがページ毎に異なる場合や、例えば、全てＡ３の元画像をＡ４の印刷用紙に印刷したい場合にも、画像の一部しか印刷されなかったり、縮小して印刷されることを防止することができる。
【００３１】
また、前記構成要件を備えた第３発明の画像処理装置は、下記の構成要件（Ｂ０３′）を備えることも可能である、
（Ｂ０３′）前記印刷を行う印刷用紙のサイズよりも前記元画像サイズが大きい場合に前記元画像を前記印刷用紙サイズの複数の用紙に自動的に分割して印刷する自動分割印刷を実行するか否かを指定するための分割印刷可否指定値の初期値として分割印刷可を記憶する分割印刷可否初期指定値記憶手段（Ｃ４Ｃ）。
したがって、ユーザが指定を行わなくても初期値に基づいて、印刷用紙サイズよりも大きな元画像を自動的に分割して印刷することができるので、ユーザの手間を省くことができる。
【００３２】
また、前記構成要件を備えた第３発明の画像処理装置は、下記の構成要件（Ｂ０４）を備えることも可能である、
（Ｂ０４）前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合には、前記元画像用紙を自動的に９０度回転した状態で分割印刷することを指定するための自動回転指定画像（５）を前記印刷パラメータ設定画面（１）に表示する自動回転指定画像表示手段（Ｃ６Ａ）と、前記自動回転指定画像（５）への入力により指定される自動回転の指定の有無を記憶する自動回転指定有無記憶手段（Ｃ６Ｂ）とを有する自動回転指定手段（Ｃ６）。
【００３３】
したがって、前記自動回転指定画像（５）への入力により、分割印刷を行う際に、元画像用紙を９０度回転した状態で前記印刷用紙に分割印刷した方が印刷用紙の使用枚数が少なくなる場合に自動回転するか否かを指定することができる。したがって、自動回転を行うか否かをユーザが指定することができ、自動回転有り（自動回転をすること）を指定した場合、使用枚数が少なくなる場合に自動回転して分割印刷され、印刷用紙の無駄や余白領域が大きくなることを防止できる。
【００３４】
また、前記構成要件を備えた第３発明の画像処理装置は、下記の構成要件（Ｂ０４′）を備えることも可能である、
（Ｂ０４′）前記元画像用紙を自動的に９０度回転した状態で分割印刷する際に、元画像を自動的に回転させる方向である自動回転方向の指定の初期値を記憶する自動回転方向初期指定値記憶手段（Ｃ６Ｃ）。
したがって、ユーザが指定を行わなくても初期値に基づいて、元画像の自動回転方向が指定されるので、ユーザの手間を省くことができる。
【００３５】
また、前記構成要件を備えた第３発明の画像処理装置は、下記の構成要件（Ｂ０５）を備えることも可能である、
（Ｂ０５）印刷された前記印刷用紙の綴じ位置を指定するための綴じ位置指定画像（６）を前記印刷パラメータ設定画面（１）に表示する綴じ位置指定画像表示手段（Ｃ７Ａ）と、前記綴じ位置指定画像（６）への入力により指定される綴じ位置指定値を記憶する綴じ位置記憶手段（Ｃ７Ｂ）とを有する綴じ位置指定手段（Ｃ７）。
したがって、ユーザの前記綴じ位置指定画像（６）への入力により綴じ位置を指定することができる。
【００３６】
また、前記構成要件を備えた第３発明の画像処理装置は、下記の構成要件（Ｂ０５′）を備えることも可能である、
（Ｂ０５′）印刷された前記印刷用紙の綴じ位置を指定するための綴じ位置指定値の初期値を記憶する綴じ位置指定初期値記憶手段（Ｃ７Ｃ）。
したがって、ユーザが指定を行わなくても初期値に基づいて、綴じ位置が指定されるので、ユーザの手間を省くことができる。
【００３７】
また、前記構成要件を備えた第３発明の画像処理装置は、下記の構成要件（Ｂ０６）を備えることも可能である、
（Ｂ０６）前記元画像を分割して印刷する順序である分割印刷順序を指定するための分割印刷順序指定画像（７）を前記印刷パラメータ設定画面（１）に表示する分割印刷順序指定画像表示手段（Ｃ８Ａ）と、前記分割印刷順序指定画像（７）への入力により指定される分割印刷順序を記憶する分割印刷順序記憶手段（Ｃ８Ｂ）とを有する分割印刷順序指定手段（Ｃ８）
したがって、ユーザの前記分割印刷順序指定画像（７）への入力により分割印刷順序を指定することができる。
【００３８】
また、前記構成要件を備えた第３発明の画像処理装置は、下記の構成要件（Ｂ０６′）を備えることも可能である、
（Ｂ０６′）印刷された前記印刷用紙の綴じ位置及び前記自動回転方向に基づいて、前記分割印刷順序を自動的に設定することを指定するための分割印刷順序自動指定画像（７ａ）を前記印刷パラメータ設定画面（１）に表示する分割印刷順序自動指定画像表示手段（Ｃ８Ｃ１）と、前記分割印刷順序自動指定画像（７ａ）への入力により指定される分割印刷順序自動設定の指定の有無を記憶する分割印刷順序自動設定指定記憶手段（Ｃ８Ｃ２）とを有する分割印刷順序自動設定指定手段（Ｃ８Ｃ）。
したがって、ユーザが指定を行わなくても初期値に基づいて、分割印刷順序が指定されるので、ユーザの手間を省くことができる。
【００３９】
また、前記構成要件を備えた第３発明の画像処理装置は、下記の構成要件（Ｂ０７）を備えることも可能である、
（Ｂ０７）分割印刷時に使用される複数の印刷用紙が並べて配置された状態で形成される仕上がり用紙に対する元画像が印刷される位置である画像位置を指定するための画像位置指定画像（８）を前記印刷パラメータ設定画面（１）に表示する画像位置指定画像表示手段（Ｃ９Ａ）と、前記画像位置指定画像（８）への入力により指定される画像位置指定値を記憶する画像位置記憶手段（Ｃ９Ｂ）とを有する画像位置指定手段（Ｃ９）。
したがって、ユーザの前記画像位置指定画像（８）への入力により画像位置を指定することができる。
【００４０】
また、前記構成要件を備えた第３発明の画像処理装置は、下記の構成要件（Ｂ０８）を備えることも可能である、
（Ｂ０８）前記元画像を分割して印刷する場合、前記元画像が分割された分割画像が印刷される分割画像印刷用紙どうしの位置関係を示す分割位置情報を前記各分割画像印刷用紙に割り付けることを指定するための分割位置情報割付指定画像（９）を前記印刷パラメータ設定画面（１）に表示する分割位置情報割付指定画像表示手段（Ｃ１０Ａ）と、前記分割位置情報割付指定画像（９）への入力により指定される分割位置情報割付の指定の有無を記憶する分割位置情報割付指定記憶手段（Ｃ１０Ｂ）とを有する分割位置情報割付指定手段（Ｃ１０）。
したがって、ユーザの前記分割位置情報割付指定画像（９）への入力により分割位置情報を割り付けるか否かを指定することができる。
【００４１】
また、前記構成要件を備えた第３発明の画像処理装置は、下記の構成要件（Ｂ０９）を備えることも可能である、
（Ｂ０９）前記元画像に対して上下左右のいずれかの方向を基準方向として設定し、元画像が分割された分割画像に前記基準方向を示す基準方向情報を割り付けることを指定するための基準方向情報割付指定画像（１０）を前記印刷パラメータ設定画面（１）に表示する基準方向情報割付指定画像表示手段（Ｃ１１Ａ）と、前記基準方向情報割付指定画像（１０）への入力により指定される基準方向情報割付の指定の有無を記憶する基準方向情報割付指定記憶手段（Ｃ１１Ｂ）とを有する基準方向情報指定手段（Ｃ１１）。
したがって、ユーザの基準方向情報割付指定画像（１０）への入力により基準位置情報を割り付けるか否かを指定することができる。
【００４２】
また、前記構成要件を備えた第３発明の画像処理装置は、下記の構成要件（Ｂ０１０）を備えることも可能である、
（Ｂ０１０）両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となる場合には、前記先の頁に白紙の画像データを割りつけて、前記先の頁およびそれ以降の頁の分割画像データを１頁ずらした頁に割りつける頁調節を実行するか否かを指定するための頁調節指定画像（１１）を前記印刷パラメータ設定画面（１）に表示する頁調節指定画像表示手段（Ｃ１２Ａ）と、前記頁調節指定画像（１１）への入力により指定される頁調節の指定の有無を記憶する頁調節指定有無記憶手段（Ｃ１２Ｂ）とを有する頁調節指定手段（Ｃ１２）。
したがって、ユーザの頁調節指定画像（１１）への入力により頁調節を行うか否かを指定することができる。
【００４３】
（実施の形態）
次に図面を参照しながら、本発明の実施の形態を説明するが、本発明は以下の実施の形態に限定されるものではない。
（実施の形態１）
図１は本発明の印刷処理システムの実施の形態１の説明図である。
図１において、印刷処理システムＳのプリンタサーバ（画像処理装置）ＰＳには、ケーブルを介してプリンタ（印刷装置、画像処理装置）Ｐｒが接続されている。また、前記プリンタサーバＰＳはローカルネットワークＬＮに接続されており、前記ローカルネットワークＬＮには複数のクライアントパソコン（画像処理装置）ＰＣ、ワークステーションＷＳ、データベースサーバＤＢＳ等が接続されている。
【００４４】
前記クライアントパソコンＰＣ、データベースサーバＤＢＳ等は、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
また、前記プリンタサーバＰＳも、前記クライアントパソコンＰＣ等と同様に、コンピュータ本体Ｄ１、ディスプレイＤ２、キーボードＤ３やマウスＤ４の入力装置、ハードディスクドライブ（図示せず）等により構成されている。
【００４５】
（クライアントパソコンＰＣの機能）
図２は前記図１に示す印刷処理システムのクライアントパソコンの機能をブロック図（機能ブロック図）で示した図である。
図２において、クライアントパソコンＰＣのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のクライアントパソコンＰＣは、前記ハードディスクやＲＯＭ等に記憶されたプログラムを実行することにより種々の機能を実現することができる。
【００４６】
前記クライアントパソコンＰＣの前記ハードディスクドライブには、ワープロソフトや画像処理ソフト等のアプリケーションプログラムＡＰと、分割印刷時の印刷用紙のサイズや分割印刷の指定等の印刷パラメータを指定するための印刷パラメータ設定プログラム（印刷パラメータ設定手段、画像処理プログラム）Ｐ１と、前記印刷パラメータ設定プログラムＰ１で設定された印刷パラメータと元画像データとを含む送信用印刷データを作成しプリンタサーバＰＳに送信するための印刷データ作成プログラム（画像処理プログラム）Ｐ２とが記憶されている。前記印刷パラメータ設定プログラムＰ１及び印刷データ作成プログラムＰ２は、次の各機能実現手段（プログラムモジュール）を有している。
【００４７】
図３は本発明の印刷パラメータ設定プログラムの機能実現手段によってクライアントパソコン又はプリンタサーバのディスプレイに表示される分割印刷設定画面の説明図である。
図４はクライアントパソコンに組み込まれているアプリケーションプログラムの印刷開始入力画面の説明図である。
（印刷パラメータ設定プログラムＰ１の機能）
Ｃ１：元画像記憶手段
元画像記憶手段Ｃ１は、前記アプリケーションプログラムＡＰで作成され印刷指示された印刷対象となる元画像の画像データおよび前記元画像のサイズである元画像サイズを記憶する。
Ｃ２：分割印刷設定画面表示手段（印刷パラメータ設定画面表示手段）
分割印刷設定画面表示手段Ｃ２は、前記元画像を印刷する際に必要な印刷パラメータの設定を行うための画面である分割印刷設定画面（印刷パラメータ設定画面）１（図３参照）を表示する。前記分割印刷設定画面１は、前記アプリケーションプログラムＡＰで印刷開始を選択した際に表示される印刷開始入力画面（印刷範囲や印刷部数等の指定等を行う画面、図４参照）２において、分割印刷の設定を選択した場合に表示される。図４において、前記印刷開始入力画面２には、後述する印刷用紙設定画像３や分割印刷指定画像４等が表示される。また、図３において、前記分割印刷設定画面１には、両面印刷を実行するか否かを指定するための両面印刷指定画像１ａや後述する自動回転指定画像５、綴じ位置指定画像６等が表示される。
【００４８】
Ｃ３：印刷用紙設定手段
印刷用紙設定手段Ｃ３は、使用可能用紙サイズ記憶手段Ｃ３Ａと、印刷用紙設定画像表示手段Ｃ３Ｂと、印刷用紙設定値記憶手段Ｃ３Ｃと、印刷用紙初期設定値記憶手段Ｃ３Ｄとを有し、分割印刷時に使用する印刷用紙の用紙サイズを設定し、記憶する。
Ｃ３Ａ：使用可能用紙サイズ記憶手段
使用可能用紙サイズ記憶手段Ｃ３Ａは、前記プリンタＰｒで使用可能な印刷用紙のサイズを記憶する。実施の形態１では、前記プリンタＰｒで使用可能な印刷用紙のサイズは、定型サイズ（Ａ４、Ａ３、Ｂ５等）があらかじめ記憶されている（登録されている）。なお、前記使用可能な印刷用紙サイズは、プリンタＰｒにおいて現時点で使用可能な用紙サイズの情報をプリンタサーバＰＳからローカルネットワークＬＮ経由で入手してもよいし、ユーザが入力装置（キーボードＨ３又はマウスＨ４）で入力・設定した値を記憶するよう構成することも可能である。
【００４９】
Ｃ３Ｂ：印刷用紙設定画像表示手段
印刷用紙設定画像表示手段Ｃ３Ｂは、前記印刷用紙のサイズを設定するための印刷用紙設定画像３を前記印刷開始入力画面２に表示する。前記印刷用紙設定画像３は、スピンコントロールボタンによって構成されており、前記使用可能用紙サイズ記憶手段Ｃ３Ａで記憶された使用可能用紙サイズのうち、指定されている印刷用紙サイズが表示されている。なお、前記印刷用紙設定画像３は、ラジオボタンや登録されている印刷用紙サイズをリスト表示する画像等によって構成することが可能である。また、前記印刷用紙設定画像３を印刷開始入力画面２に表示せず、分割印刷設定画面１に表示するよう構成することも可能であり、これらとは別に印刷用紙設定画像３のみを表示する印刷用紙設定画面を設けるよう構成することも可能である。
【００５０】
Ｃ３Ｃ：印刷用紙設定値記憶手段
印刷用紙設定値記憶手段Ｃ３Ｃは、ユーザの入力装置（キーボードＨ３、マウスＨ４）による前記印刷用紙設定画像３への入力により定まる印刷用紙のサイズを使用印刷用紙指定サイズ（使用印刷用紙指定サイズ設定値）として記憶する。Ｃ３Ｄ：印刷用紙初期設定値記憶手段
印刷用紙初期設定値記憶手段Ｃ３Ｄは、印刷開始入力画面２が表示される際に、使用印刷用紙サイズの初期設定値としての使用印刷用紙サイズ初期設定値を記憶する。実施の形態１では、前期使用印刷用紙サイズ初期設定値としてＡ４を記憶している。
【００５１】
Ｃ４：分割印刷指定手段
分割印刷指定手段Ｃ４は、分割印刷指定画像表示手段Ｃ４Ａと、分割印刷可否記憶手段Ｃ４Ｂと、分割印刷可否初期指定値記憶手段Ｃ４Ｃとを有し、前記印刷用紙のサイズよりも前記元画像サイズが大きい場合に前記元画像を前記印刷用紙サイズの複数の用紙に自動的に分割して印刷する自動分割印刷を実行するか否かを指定する。
Ｃ４Ａ：分割印刷指定画像表示手段
分割印刷指定画像表示手段Ｃ４Ａは、印刷を行う印刷用紙のサイズよりも前記元画像サイズが大きい場合に前記元画像を前記印刷用紙サイズの複数の用紙に自動的に分割して印刷する自動分割印刷を実行するか否か指定するための分割印刷指定指定画像４を印刷開始入力画面２に表示する。なお、前記分割印刷指定指定画像４を前記分割印刷設定画面１に表示するよう構成することも可能である。
【００５２】
Ｃ４Ｂ：分割印刷可否記憶手段
分割印刷可否記憶手段Ｃ４Ｂは、前記分割印刷指定画像４への入力により指定される自動分割印刷を実行するか否かを記憶する。
Ｃ４Ｃ：分割印刷可否初期指定値記憶手段
分割印刷可否初期指定値記憶手段Ｃ４Ｃは、前記印刷を行う印刷用紙のサイズよりも前記元画像サイズが大きい場合に前記元画像を前記印刷用紙サイズの複数の用紙に自動的に分割して印刷する自動分割印刷を実行するか否かを指定するための分割印刷可否指定値の初期値として分割印刷可（図４の印刷開始入力画面２の分割印刷指定指定画像４において分割印刷を「行う」）を記憶する。
【００５３】
Ｃ５：分割印刷指定データ作成手段
分割印刷指定データ作成手段Ｃ５は、前記元画像の印刷に使用する印刷用紙のサイズである印刷用紙サイズよりも前記元画像サイズが大きい場合に前記元画像を前記印刷用紙サイズの複数の印刷用紙に自動的に分割して印刷することを指定する分割印刷指定データを作成する。実施の形態１では、分割印刷指定手段Ｃ４で分割印刷の実行が指定された場合に、指定有りの分割印刷指定データを作成し、実行しないことが指定された場合に指定無しの分割印刷指定データを作成する。
Ｃ６：自動回転指定手段
自動回転指定手段Ｃ６は、自動回転指定画像表示手段Ｃ６Ａと、自動回転指定有無記憶手段Ｃ６Ｂと、自動回転方向初期指定値記憶手段Ｃ６Ｃとを有し、前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合には、前記元画像用紙を自動的に９０度回転した状態で分割印刷することを指定する。
【００５４】
Ｃ６Ａ：自動回転指定画像表示手段
自動回転指定画像表示手段Ｃ６Ａは、前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合には、前記元画像用紙を自動的に９０度回転した状態で分割印刷することを指定するための自動回転指定画像５を前記分割印刷設定画面１に表示する。前記自動回転指定画像５はラジオボタンで構成されており、元画像を回転する場合に回転する方向である自動回転方向を後述する綴じ位置に基づいて自動的に設定するよう指定する「自動」と、元画像を右方向に９０度回転させることを指定する「右回転」と、元画像を左方向に９０度回転させることを指定する「左回転」と、元画像を回転させないことを指定する「回転しない」とが表示されている。
【００５５】
Ｃ６Ｂ：自動回転指定有無記憶手段
自動回転指定有無記憶手段Ｃ６Ｂは、前記自動回転指定画像５への入力により指定される自動回転の指定の有無を記憶する。即ち、自動回転指定画像５で「回転をしない」が選択された場合、自動回転の指定が無しと記憶され、「自動」、「左回転」及び「右回転」のいずれかが選択された場合、自動回転の指定が有りと記憶される。
Ｃ６Ｃ：自動回転方向初期指定値記憶手段
自動回転方向初期指定値記憶手段Ｃ６Ｃは、前記元画像用紙を自動的に９０度回転した状態で分割印刷する際に、元画像を自動的に回転させる方向である自動回転方向の指定の初期値を記憶する。実施の形態１では、自動回転方向の指定の初期値として「自動」が記憶されている。
【００５６】
Ｃ７：綴じ位置指定手段
綴じ位置指定手段Ｃ７は、綴じ位置指定画像表示手段Ｃ７Ａと、綴じ位置記憶手段Ｃ７Ｂと、綴じ位置指定初期値記憶手段Ｃ７Ｃとを有し、画像が印刷された印刷用紙の綴じ位置を設定する。
Ｃ７Ａ：綴じ位置指定画像表示手段
綴じ位置指定画像表示手段Ｃ７Ａは印刷された前記印刷用紙の綴じ位置を指定するための綴じ位置指定画像６を分割印刷設定画面１に表示する。実施の形態１の綴じ位置指定画像６はラジオボタンで構成されており、印刷用紙を綴じる位置として印刷用紙の左端で綴じる「左側」と、右端で綴じる「右側」と、上端で綴じる「上側」と、下端で綴じる「下側」とを選択する画像が表示されている。
【００５７】
Ｃ７Ｂ：綴じ位置記憶手段
綴じ位置記憶手段Ｃ７Ｂは、前記綴じ位置指定画像６への入力により指定される綴じ位置指定値（「左側」等）を記憶する。
Ｃ７Ｃ：綴じ位置指定初期値記憶手段
綴じ位置指定初期値記憶手段Ｃ７Ｃは、印刷された前記印刷用紙の綴じ位置を指定するための綴じ位置指定値の初期値を記憶する。実施の形態１では、前記綴じ位置指定値の初期値として「左側」が記憶されている。
【００５８】
Ｃ８：分割印刷順序指定手段
分割印刷順序指定手段Ｃ８は、分割印刷順序指定画像表示手段Ｃ８Ａと、分割印刷順序記憶手段Ｃ８Ｂと、分割印刷順序自動設定指定手段Ｃ８Ｃとを有し、分割印刷順序（分割順）を指定し、指定値を記憶する。
Ｃ８Ａ：分割印刷順序指定画像表示手段
分割印刷順序指定画像表示手段Ｃ８Ａは、前記元画像を分割して印刷する順序である分割印刷順序を指定するための分割印刷順序指定画像７を前記分割印刷設定画面１に表示する。実施の形態１の分割印刷順序指定画像表示手段Ｃ８Ａは、分割順序指定画像７の「分割順の設定」を分割印刷設定画面１に表示すると共に、前記「分割順の設定」が入力装置（キーボードＨ３等）で選択された際に分割印刷設定画面１とは異なる分割順選択画面（後述の図１０の分割順選択画面参照）を表示する。なお、分割印刷順序指定画像表示手段Ｃ８Ａは、前記分割順選択画面を分割印刷設定画面１内に表示するよう構成することも可能である。
【００５９】
Ｃ８Ｂ：分割印刷順序記憶手段
分割印刷順序記憶手段Ｃ８Ｂは、前記分割印刷順序指定画像７への入力により指定される分割印刷順序を記憶する。実施の形態１では、前記分割順序指定画像７を選択した際に表示される分割順選択画面で選択入力された分割順序または分割印刷順序を自動設定する「分割印刷順序自動」が記憶される。
Ｃ８Ｃ：分割印刷順序自動設定指定手段
分割印刷順序自動設定指定手段Ｃ８Ｃは、印刷された前記印刷用紙の綴じ位置及び前記自動回転方向に基づいて、前記分割印刷順序を自動的に設定することを指定するための分割印刷順序自動指定画像７ａ（分割印刷順序指定画像７内の「自動」参照）を前記分割印刷設定画面１に表示する分割印刷順序自動指定画像表示手段Ｃ８Ｃ１と、前記分割印刷順序自動指定画像７ａへの入力により指定される分割印刷順序自動設定の指定の有無を記憶する分割印刷順序自動設定指定記憶手段Ｃ８Ｃ２とを有する。
【００６０】
Ｃ９：画像位置指定手段
画像位置指定手段Ｃ９は、画像位置指定画像表示手段Ｃ９Ａと、画像位置記憶手段Ｃ９Ｂとを有し、分割印刷時に使用される複数の印刷用紙が並べて配置された状態で形成される仕上がり用紙に対する元画像が印刷される位置である画像位置を指定する。
Ｃ９Ａ：画像位置指定画像表示手段
画像位置指定画像表示手段Ｃ９Ａは、分割印刷時に使用される複数の印刷用紙が並べて配置された状態で形成される仕上がり用紙に対する元画像が印刷される位置である画像位置を指定するための画像位置指定画像８を分割印刷設定画面１に表示する。実施の形態１の画像位置指定画像表示手段Ｃ９Ａは、画像位置指定画像８の「画像位置の設定」を分割印刷設定画面１に表示すると共に、前記「画像位置の設定」が入力装置（キーボードＨ３等）で選択された際に画像位置選択画面（後述の図１２の分割順選択画面参照）を表示する。なお、画像位置指定画像表示手段Ｃ９Ａは、前記画像位置選択画面を画像位置指定画像８内に表示するよう構成することも可能である。
【００６１】
Ｃ９Ｂ：画像位置記憶手段
画像位置記憶手段Ｃ９Ｂは、前記画像位置選択画面への入力により指定される画像位置指定値を記憶する。実施の形態１の画像位置記憶手段Ｃ９Ｂは、前記画像位置指定画像８を選択した際に表示される画像位置選択画面で選択入力された画像位置または画像位置を自動設定する「画像位置自動」を記憶する。
Ｃ１０：分割位置情報割付指定手段
分割位置情報割付指定手段Ｃ１０は、分割位置情報割付指定画像表示手段Ｃ１０Ａと、分割位置情報割付指定記憶手段Ｃ１０Ｂとを有し、前記元画像を分割して印刷する場合、前記元画像が分割された分割画像が印刷される分割画像印刷用紙どうしの位置関係を示す分割位置情報を前記各分割画像印刷用紙に割り付けることを指定する。
【００６２】
Ｃ１０Ａ：分割位置情報割付指定画像表示手段
分割位置情報割付指定画像表示手段Ｃ１０は、前記元画像を分割して印刷する場合、前記元画像が分割された分割画像が印刷される分割画像印刷用紙どうしの位置関係を示す分割位置情報を前記各分割画像印刷用紙に割り付けることを指定するための分割位置情報割付指定画像９を前記分割印刷設定画面１に表示する。Ｃ１０Ｂ：分割位置情報割付指定記憶手段
分割位置情報割付指定記憶手段Ｃ１０Ｂは、前記分割位置情報割付指定画像９への入力により指定される分割位置情報割付の指定の有無を記憶する。即ち、分割位置情報を「付ける」に指定した場合、分割位置情報割付の指定を有りと記憶し、「付けない」に指定した場合、分割位置情報割付の指定を無しと記憶する。
【００６３】
Ｃ１１：基準方向情報指定手段
基準方向情報指定手段Ｃ１１は、基準方向情報割付指定画像表示手段Ｃ１１Ａと、基準方向情報割付指定記憶手段Ｃ１１Ｂとを有し、前記元画像に対して上下左右のいずれかの方向を基準方向として設定し、元画像が分割された分割画像に前記基準方向を示す基準方向情報を割り付けることを指定する。なお、実施の形態１では、前記基準方向として「上方向」が設定されている。前記基準方向は任意に設定可能であり、ユーザが指定できるようにすることも可能である。
Ｃ１１Ａ：基準方向情報割付指定画像表示手段
基準方向情報割付指定画像表示手段Ｃ１１Ａは、前記元画像に対して上下左右のいずれかの方向を基準方向として設定し、元画像が分割された分割画像に前記基準方向を示す基準方向情報を割り付けることを指定するための基準方向情報割付指定画像１０を前記分割印刷設定画面１に表示する。
【００６４】
Ｃ１１Ｂ：基準方向情報割付指定記憶手段
基準方向情報割付指定記憶手段Ｃ１１Ｂは、前記基準方向情報割付指定画像１０への入力により指定される基準方向情報割付の指定の有無を記憶する。即ち、基準方向情報を「付ける」に指定した場合、基準方向情報割付の指定を有りと記憶し、「付けない」に指定した場合、基準方向情報割付の指定を無しと記憶する。
Ｃ１２：頁調節指定手段
頁調節指定手段Ｃ１２は、頁調節指定画像表示手段Ｃ１２Ａと、頁調節指定有無記憶手段とを有し、両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となる場合には、前記先の頁に白紙の画像データを割りつけて、前記先の頁およびそれ以降の頁の分割画像データを１頁ずらした頁に割りつける頁調節（ページ順の調整）を実行するか否かを指定する。
【００６５】
Ｃ１２Ａ：頁調節指定画像表示手段
頁調節指定画像表示手段Ｃ１２Ａは、両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となる場合には、前記先の頁に白紙の画像データを割りつけて、前記先の頁およびそれ以降の頁の分割画像データを１頁ずらした頁に割りつける頁調節を実行するか否かを指定するための頁調節指定画像１１を前記分割印刷設定画面１に表示する。
Ｃ１２Ｂ：頁調節指定有無記憶手段
頁調節指定有無記憶手段Ｃ１２Ｂは、前記頁調節指定画像１１への入力により指定される頁調節の指定の有無を記憶する。即ち、頁調節を「行う」に指定した場合、頁調節の指定を有りと記憶し、「行わない」に指定した場合、頁調節の指定を無しと記憶する。
【００６６】
（印刷データ作成プログラムＰ２の機能）
Ｃ２１：印刷データ作成手段
印刷データ作成手段Ｃ２１は、前記元画像記憶手段Ｃ１で記憶された元画像の画像データおよび元画像のサイズである元画像サイズと、元画像を分割印刷することを指定する分割印刷指定データ（印刷パラメータ）と、を含む印刷データを作成する。また、実施の形態１の印刷データ作成手段Ｃ２１は、印刷用紙設定値記憶手段Ｃ３Ｃで記憶された印刷用紙サイズの指定値と、分割印刷指定可否記憶手段Ｃ４Ｂで記憶された分割印刷を実行するか否かの指定値と、自動回転指定有無記憶手段Ｃ６Ｂで記憶された自動回転指定の指定値と、綴じ位置記憶手段Ｃ７Ｂで記憶された綴じ位置の指定値と、分割印刷順序記憶手段Ｃ８Ｂで記憶された分割印刷順序の指定値と、画像位置記憶手段Ｃ９Ｂで記憶された画像位置の指定値と、分割位置情報割付指定記憶手段Ｃ１０Ｂで記憶された分割位置情報割付の有無の指定値と、基準方向情報割付指定記憶手段Ｃ１１Ｂで記憶された基準方向情報割付の有無の指定値と、頁調節指定有無記憶手段Ｃ１２Ｂで記憶された頁調節の有無の指定値とを有する印刷パラメータを含む印刷データを作成する。
【００６７】
Ｃ２２：印刷データ送信手段
印刷データ送信手段Ｃ２２は、前記印刷データ作成手段Ｃ２１で作成した印刷データを送信用印刷データとしてプリンタサーバＰＳに送信する。
なお、実施の形態１では、ワークステーションＷＳ、データベースサーバＤＢＳ等は、前記クライアントＰＣと異なり各機能実現手段Ｃ１〜Ｃ２２等を有していない。しかしながら、前記ワークステーションＷＳ、データベースサーバＤＢＳ等が各機能実現手段Ｃ１〜Ｃ２２を備えるよう構成可能なことは言うまでもない。
【００６８】
（プリンタサーバＰＳの機能）
図５は前記図１に示す印刷処理システムのプリンタサーバ及びプリンタの機能をブロック図（機能ブロック図）で示した図である。
プリンタサーバＰＳのコンピュータ本体Ｄ１（図１参照）は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクドライブ、ＲＡＭまたはＲＯＭに記憶されたプログラムに応じた処理を行うＣＰＵ（中央演算処理装置）、ならびにクロック発振器等を有している。
前記構成のプリンタサーバＰＳは、前記ハードディスクドライブ、ＲＡＭまたはＲＯＭに記憶されたプログラムを実行することにより種々の機能を実現することができる。
【００６９】
図５において、前記プリンタサーバ（印刷処理装置、画像処理装置）ＰＳの印刷情報処理手段Ｐ３は、次の各機能実現手段（プログラムモジュール）を有している。
Ｃ３１：受信印刷データ記憶手段
受信印刷データ記憶手段Ｃ３１は、元画像記憶手段Ｃ３１Ａと、印刷パラメータ記憶手段Ｃ３１Ｂとを有し、前記印刷データ送信手段Ｃ２２によって送信された前記送信用印刷データを受信したときに受信印刷データとして記憶する。元画像記憶手段Ｃ３１Ａは、クライアントパソコンＰＣの印刷パラメータ設定プログラムＰ１の元画像記憶手段Ｃ１と同様に、元画像データと元画像サイズとを記憶する。
Ｃ３１Ｂ：印刷パラメータ記憶手段
印刷パラメータ記憶手段Ｃ３１Ｂは、前記受信印刷データに含まれる印刷パラメータを記憶する。
【００７０】
図６は本発明の印刷情報処理手段の機能実現手段によってプリンタサーバのディスプレイに表示されるメイン画面の説明図である。
Ｃ３２：メイン画面表示手段
メイン画面表示手段Ｃ３２は、ディスプレイＤ２に印刷の進行状況等を表示するためのメイン画面１６（図６参照）を表示する。図６において、前記メイン画面１６には、印刷実行中の印刷ジョブを示す印刷ジョブ表示画像１６ａと、現在印刷中の印刷画像を表示するプレビュー画面１６ｂと、現在印刷中の印刷ジョブの状況（何ページ印刷ジョブが残っているか等）を表示する印刷状況表示画像１６ｃと、印刷がまだ実行されていない印刷ジョブやジョブ保持指定がされた印刷ジョブを表示する保持ジョブ表示画像１６ｄと、印刷ジョブを実行しようとしたが用紙のサイズが一致しない等の理由によりエラーとなった印刷ジョブを表示するエラージョブ表示画像１６ｅと、印刷開始やジョブ消去等の作業アイコンが表示される作業アイコン表示画像１６ｆとを有している。
【００７１】
Ｐ１：印刷パラメータ設定プログラム
印刷パラメータ設定プログラムＰ１は、前記クライアントパソコンＰＣの印刷パラメータ設定プログラムＰ１と同様に構成されており、同様の機能実現手段Ｃ１〜Ｃ１２を備えている。そして、前記メイン画面１６の保持ジョブ表示画像１６ｄまたはエラージョブ表示画像１６ｅにおいて選択されたジョブの分割印刷設定が選択された場合、印刷パラメータ設定プログラムＰ１の各機能実現手段Ｃ１〜Ｃ１２により、分割印刷設定画面１等がディスプレイＤ２に表示される。
【００７２】
Ｃ３３：表示制御手段
表示制御手段Ｃ３３は、前記メイン画面１６や分割印刷設定画面１等のディスプレイＤ２に表示される画像の表示の切替等を制御する。
Ｃ３４：印刷指定処理手段
印刷指定処理手段Ｃ３４は、分割印刷指定判別手段Ｃ３４Ａと、ジョブ保持処理手段Ｃ３４Ｂと、エラー処理手段Ｃ３４Ｃとを有し、受信印刷データの印刷ジョブを実行する際の指定（分割印刷の指定やジョブ保持の指定等）を判別して処理する。
【００７３】
Ｃ３４Ａ：分割印刷指定判別手段
分割印刷指定判別手段Ｃ３４Ａは、受信印刷データの印刷パラメータにおいて自動分割印刷が指定されているか否かを判別する。なお、プリンタサーバＰＳ及びプリンタＰｒを、常に自動分割印刷が実行されるよう設定することも可能であり、この場合、分割印刷指定判別手段Ｃ３４Ａは省略可能である。
Ｃ３４Ｂ：ジョブ保持処理手段
ジョブ保持処理手段Ｃ３４Ｂは、受信印刷データがジョブ保持指定されているか否かを判別するジョブ保持指定判別手段Ｃ３４Ｂ１と、ジョブ保持指定された印刷ジョブの受信印刷データ（画像データ）を保持（記憶）する保持ジョブ画像データ記憶手段Ｃ３４Ｂ２と、選択された保持ジョブの消去する保持ジョブ消去手段Ｃ３４Ｂ３とを有する。なお、ジョブの保持の指定は前記印刷開始入力画面１で指定することが可能であり、前記受信印刷データに含まれるジョブ保持の指定の有無を指定するジョブ保持指定データにより、ジョブ保持の指定を判別できる。
【００７４】
Ｃ３４Ｃ：エラー処理手段
エラー処理手段Ｃ３４Ｃは、元画像サイズに対応する印刷用紙が使用可能ではない等の場合に実行できない印刷ジョブ（エラージョブ）であると判別するエラージョブ判別手段Ｃ３４Ｃ１と、エラージョブと判別された際に印刷ジョブの受信印刷データをエラージョブデータとして保持する（記憶する）エラージョブデータ記憶手段Ｃ３４Ｃ２とを有する。
【００７５】
Ｃ３５：印刷パラメータ処理手段
印刷パラメータ処理手段Ｃ３５は、回転前後使用用紙枚数判別手段Ｃ３５Ａと、自動回転設定手段Ｃ３５Ｂと、綴じ位置設定手段Ｃ３５Ｃと、分割印刷順序設定手段Ｃ３５Ｄと、画像位置設定手段Ｃ３５Ｅと、分割位置情報割付手段Ｃ３５Ｆと、基準方向情報割付手段Ｃ３５Ｇと、連続画像判別手段Ｃ３５Ｈと、頁調節手段Ｃ３５Ｉとを有し、受信印刷データに含まれる印刷パラメータまたは、プリンタサーバＰＳの印刷パラメータ設定プログラムＰ１で設定された印刷パラメータに基づいて、元画像のページ毎に印刷パラメータの処理を実行する。
Ｃ３５Ａ：回転前後使用用紙枚数判別手段
回転前後使用用紙枚数判別手段Ｃ３５Ａは、前記印刷用紙サイズよりも前記元画像サイズが大きい場合に前記元画像を複数の前記印刷用紙に分割して印刷する際に、元画像を９０度回転した状態で前記印刷用紙に分割印刷した方が印刷用紙の使用枚数が少なくなるか否かを判別する。実施の形態１では、自動分割印刷の指定が有りの場合に、回転前後使用用紙枚数判別手段Ｃ３５Ａで判別を行う。
【００７６】
Ｃ３５Ｂ：自動回転設定手段
自動回転設定手段Ｃ３５Ｂは、自動回転方向自動設定手段Ｃ３５Ｂ１を有し、元画像を９０度回転した状態で前記印刷用紙に分割印刷した方が印刷用紙の使用枚数が少なくなる場合には、前記元画像を９０度回転した状態で分割印刷することを設定する。本実施の形態では、前記印刷パラメータの自動回転で指定された指定値（「右回転」、「回転しない」等）に基づいて、自動回転するか否か及び自動回転する場合の自動回転方向を元画像のページ毎に設定する。
Ｃ３５Ｂ１：自動回転方向自動設定手段
自動回転方向自動設定手段Ｃ３５Ｂ１は、前記印刷用紙サイズよりも前記元画像サイズが大きい場合に前記元画像を複数の前記印刷用紙に自動的に分割して印刷する際に、元画像用紙を９０度回転した状態で前記印刷用紙に分割印刷した方が印刷用紙の使用枚数が少なくなる場合に、前記前記元画像を９０度回転した状態で分割印刷する場合には、前記元画像を回転する方向である自動回転方向を自動的に設定する。なお、本実施の形態では、自動回転の指定値が「自動」に設定されている場合に、前記自動回転方向の自動設定が行われ、自動回転方向は、綴じ位置の設定に基づいて元画像データのページ毎に設定される。
【００７７】
Ｃ３５Ｃ：綴じ位置設定手段
綴じ位置設定手段Ｃ３５Ｃは、印刷された前記印刷用紙の綴じ位置をユーザの入力に応じて設定する。本実施の形態では、ユーザの入力によって指定された印刷パラメータの綴じ位置の指定値に応じて、印刷用紙の綴じ位置が設定される。Ｃ３５Ｄ：分割印刷順序設定手段
分割印刷順序設定手段Ｃ３５Ｄは、綴じ位置及び回転方向の設定に基づいて、前記元画像を分割して印刷する順序である分割印刷順序（分割順）を自動的に設定する分割印刷順序自動設定手段Ｃ３５Ｄ１を有し、前記分割印刷順序をユーザの入力に応じて設定する。本実施の形態では、ユーザの入力によって指定された印刷パラメータの分割印刷順序の指定（「自動」や「左上横優先」等）に応じて、分割印刷順序が元画像のページ毎に設定される。そして、分割印刷順序が「自動」に指定されている場合、本実施の形態では、分割印刷順序自動設定手段Ｃ３５Ｄ１によって、綴じ位置及び回転方向の設定に基づいて分割順が自動的に設定される。
【００７８】
Ｃ３５Ｅ：画像位置設定手段
画像位置設定手段Ｃ３５Ｅは、綴じ位置及び回転方向に基づいて、仕上がり用紙に対する元画像が印刷される位置である画像位置を自動的に設定する画像位置自動設定手段Ｃ３５Ｅ１を有し、分割印刷時に使用される複数の印刷用紙が並べて配置された状態で形成される仕上がり用紙のサイズと、前記元画像サイズと、ユーザの入力により指定される画像位置指定値とに応じて、画像位置を設定する。本実施の形態では、ユーザの入力によって指定された印刷パラメータの画像位置の指定（「自動」や「左上」、「右上」等）に応じて、画像位置が元画像のページ毎に設定される。そして、ユーザの入力によって画像位置が「自動」に指定されている場合、本実施の形態では、画像位置自動設定手段Ｃ３５Ｅ１によって、綴じ位置及び回転方向の設定に基づいて画像位置が自動的に設定される。
【００７９】
Ｃ３５Ｆ：分割位置情報割付手段
分割位置情報割付手段Ｃ３５Ｆは、前記元画像を分割して印刷する場合に、元画像が分割された分割画像が印刷される分割画像印刷用紙どうしの位置関係を示す分割位置情報を前記各分割画像印刷用紙に割り付ける。本実施の形態では、各分割画像印刷用紙に割り付けられる分割位置情報として、元画像のページ数（後述の図２４等参照）と、１つの元画像が分割されて印刷された分割画像印刷用紙全体に対する分割画像印刷用紙の縦方向の配置される位置を示す数値である縦分割位置表示値（後述する図２４Ｂ、図２６等参照）と、横方向の配置位置を示す数値である横分割位置表示値（後述する図２４Ｂ等参照）と、分割画像印刷用紙全体に対する分割画像印刷用紙の位置を縮小画像で示すレイアウト画像情報とを有する。なお、前記分割位置情報は、これらに限定されず、任意の表示を採用することができる。
【００８０】
Ｃ３５Ｇ：基準方向情報割付手段
基準方向情報割付手段Ｃ３５Ｇは、前記元画像に対して上下左右のいずれかの方向を基準方向として設定し、元画像が分割された分割画像に前記基準方向を示す基準方向情報を割り付ける。本実施の形態では、基準方向を上方向にし、基準方向を示す基準方向情報として矢印を使用している（後述する図２４Ｂ、図２５Ａ等参照）。前記基準方向情報は、元画像が回転した場合に、自動回転方向に矢印を回転させることによって、自動回転の有無を把握したり、分割画像の上方向を把握することができる。
Ｃ３５Ｈ：連続画像判別手段
連続画像判別手段Ｃ３５Ｈは、両面印刷が指定されている場合に、１つの元画像から分割された複数の分割画像を両面印刷して設定された綴じ位置で綴じた場合に、分割画像が印刷された頁の中で先の頁の裏面に後の頁が印刷される場合であって前記先の頁およびそれ以降の頁に印刷される分割画像を１頁づつずらした場合に、前記先の頁およびその次の頁の分割画像が連続画像となるか否かを判別する。本実施の形態では、前記綴じ位置と、分割位置情報とに基づいて、連続画像となるか否かを判別している。なお、分割順等に基づいて判別することも可能であり、判別方法はこれに限定されない。
【００８１】
Ｃ３５Ｉ：頁調節手段
頁調節手段Ｃ３５Ｉは、前記連続画像判別手段３５Ｈによって、分割画像を１頁づつずらした場合に前記先の頁およびその次の頁の分割画像が連続画像となると判別された場合には、前記先の頁に白紙の画像データを割りつけて、前記先の頁およびそれ以降の頁の分割画像データを１頁ずらした頁に割りつける。本実施の形態では、ユーザの入力によってページ順の調節を行うことが指定されてる場合に、前記頁調節手段Ｃ３５Ｉによってページの調節が行われる。
【００８２】
Ｃ３６：分割印刷画像データ作成手段
分割印刷画像データ作成手段Ｃ３６は、前記元画像の印刷に使用する印刷用紙のサイズである印刷用紙サイズよりも前記元画像サイズが大きい場合に、前記元画像を前記印刷用紙サイズの複数の印刷用紙に自動的に分割して印刷するために各印刷用紙に対して作成した分割印刷画像データを作成する。本実施の形態では、前記受信印刷データに含まれる印刷パラメータや、プリンタサーバＰＳの印刷パラメータ設定プログラムＰ１で設定された印刷パラメータの指定に基づいて設定された元画像のページ毎の設定に応じて、分割印刷画像データが作成される。Ｃ３７：印刷制御手段（プリンタコントローラ）
印刷制御手段Ｃ３７は、前記印刷用紙毎に割り付けて作成された分割印刷画像データをプリンタに送信し、プリンタ（印刷装置、画像処理装置）Ｐｒの印刷動作を制御する。
【００８３】
（プリンタの機能）
図５において、プリンタＰｒは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ＲＡＭまたはＲＯＭに記憶されたプログラムに応じた処理を行うＣＰＵ（中央演算処理装置）、ならびにクロック発振器等を有している。
前記構成のプリンタＰｒは、前記ハードディスクドライブ、ＲＡＭまたはＲＯＭに記憶されたプログラムを実行することにより種々の機能を実現することができる。
【００８４】
前記プリンタ（印刷装置、画像処理装置）Ｐｒは、次の機能実現手段（機能実現処理、プログラムモジュール）を有している。
Ｃ４１：画像記録手段
画像記録手段Ｃ４１は、印刷制御手段Ｃ３６の制御に従って、前記プリンタサーバＰＳから送信された前記各印刷用紙の前記各画像記録領域毎に割り付けられた印刷画像データを、前記各印刷用紙の各画像記録領域に印刷する。
【００８５】
（実施の形態１のフローチャートの説明）
（クライアントパソコンのフローチャート）
図７は本発明の実施の形態１の印刷処理システムのクライアントパソコンにおける印刷設定処理のフローチャートである。
図７のフローチャートの各ＳＴ（ステップ）の処理は、前記クライアントパソコンＰＣのＣＰＵの処理に従って実行される。
【００８６】
図７のＳＴ１において、クライアントパソコンＰＣのアプリケーションプログラムＡＰにおいて、印刷処理開始が選択されたか否かを判別する。ノー（Ｎ）の場合はＳＴ１を繰り返し、イエス（Ｙ）の場合はＳＴ２に移る。
ＳＴ２において、前記図４に示す印刷開始入力画面２をディスプレイＨ２に表示する。そしてＳＴ３に移る。
ＳＴ３において、印刷開始入力画面において「印刷開始」が選択されたか否かを判別する。ノー（Ｎ）の場合はＳＴ４に移り、イエス（Ｙ）の場合はＳＴ９に移る。
ＳＴ４において、印刷開始入力画面２において「キャンセル」が選択されたか否かを判別する。ノー（Ｎ）の場合はＳＴ５に移り、イエス（Ｙ）の場合はＳＴ１０に移る。
【００８７】
ＳＴ５において、図４に示す印刷開始入力画面２において印刷範囲、印刷部数、ジョブ保持の指定等の入力や、オプション選択時に表示されるオプション設定画面（図示せず）において給紙トレイや排紙トレイの指定等の入力があったか否かを判別する。イエス（Ｙ）の場合はＳＴ６に移り、ノー（Ｎ）の場合はＳＴ７に移る。
ＳＴ６において、印刷開始入力画面２においてされた印刷範囲や印刷用紙サイズ（印刷パラメータ）等の入力のデータを入力データ用の一時記憶手段で記憶し、前記入力に応じて印刷開始入力画面２の表示を更新する。そして、ＳＴ３に戻る。
ＳＴ７において、印刷開始入力画面２において「分割印刷の設定」が選択されたか否かを判別する。ノー（Ｎ）の場合はＳＴ３に戻り、イエス（Ｙ）の場合はＳＴ８に移る。
ＳＴ８において、分割設定処理（後述の図８のサブルーチン参照）を実行して、分割印刷時の分割順や画像位置等の印刷パラメータの指定を行い、各指定値を一時記憶する。そして、ＳＴ３に戻る。
【００８８】
ＳＴ９において、ＳＴ３で「印刷開始」が選択されたので、前記ＳＴ６で一時記憶された入力データ（印刷範囲や印刷部数）に応じた印刷用画像データと、ＳＴ８等において指定された分割印刷用の印刷パラメータとを含む送信用印刷データを前記印刷データ作成手段Ｃ２１で作成し、印刷データ送信手段Ｃ２２によってプリンタサーバＰＳに送信する。そして、印刷開始入力画面２を閉じ、ＳＴ１に戻り、印刷処理開始が選択されるまで待機する。
ＳＴ１０において、印刷開始入力画面２において「キャンセル」が選択されたので、前記ＳＴ６やＳＴ８で一時記憶された各指定値を消去する（破棄する）。そして、図４に示す印刷開始入力画面２を閉じ、ＳＴ１に戻り、印刷処理開始が選択されるまで待機する。
【００８９】
したがって、前記ＳＴ１〜ＳＴ１０の処理によって、クライアントパソコンＰＣでは、印刷範囲等の指定や分割印刷の指定等が行われ、前記各指定に基づいた印刷用画像データ（元画像データ）と、分割順の指定や画像位置の指定等の印刷パラメータとを含む送信用印刷データが作成され、プリンタサーバＰＳに送信される。
【００９０】
（分割設定処理の説明）
図８は、前記図７の印刷設定処理の分割設定処理のサブルーチンのフローチャートである。
図８のＳＴ２１において、前記図３に示す分割印刷設定画面１を表示し、ＳＴ２２に移る。
【００９１】
（分割順の変更）
ＳＴ２２において、分割印刷設定画面１において、「分割順の設定」を選択する入力がされたか否か判別する。イエス（Ｙ）の場合はＳＴ２３に移り、ノー（Ｎ）の場合はＳＴ２５に移る。
ＳＴ２３において、元画像サイズが印刷用紙サイズよりも大きな場合に分割して印刷する場合の分割順（分割印刷順序）を指定するための分割順変更処理（後述の図９のサブルーチン参照）が実行され、ＳＴ２４に移る。
ＳＴ２４において、分割印刷指定を有りに設定する。即ち、分割印刷が指定されたことを示す分割印刷指定データを一時記憶する。そして、ＳＴ２２に戻る。
したがって、前記ＳＴ２２〜ＳＴ２４の処理によって、分割印刷順序指定画像７の「分割順の設定」が選択された場合に、ＳＴ２３の分割順変更処理により分割順（分割印刷順序）が指定される。
【００９２】
（画像位置の変更）
ＳＴ２５において、分割印刷設定画面１の画像位置指定画像８において、「画像位置の設定」を選択する入力がされたか否か判別する。イエス（Ｙ）の場合はＳＴ２６に移り、ノー（Ｎ）の場合はＳＴ２７に移る。
ＳＴ２６において、分割して印刷された分割画像印刷用紙を並べた仕上がり用紙に対する画像の位置を指定するための画像位置設定処理（後述の図１１のサブルーチン参照）が実行され、ＳＴ２４に移る。
したがって、前記ＳＴ２５、ＳＴ２６、ＳＴ２４の処理によって、画像位置指定画像８の「画像位置の設定」が選択された場合に、ＳＴ２６の画像位置設定処理により画像位置が指定される。
【００９３】
（その他の印刷パラメータの変更）
ＳＴ２７において、分割印刷設定画面１において、両面印刷の有無や綴じ位置、画像の回転方向、ページ順の調整（頁調節）、分割表示（分割位置情報）及び回転表示（基準方向情報）の有無を選択する入力がされたか否か判別する。イエス（Ｙ）の場合はＳＴ２８に移り、ノー（Ｎ）の場合はＳＴ２９に移る。
ＳＴ２８において、選択入力された指定値を一時記憶すると共に、入力された指定値に基づいて分割設定画面１の表示を更新する。そして、ＳＴ２４に移る。したがって、前記ＳＴ２７、ＳＴ２８、ＳＴ２４の処理によって、選択入力された両面印刷の有無や綴じ位置、画像の回転方向、ページ順の調整、分割表示及び回転表示の有無の指定が一時記憶され、分割設定画面１の表示が更新される。
【００９４】
ＳＴ２９において、分割設定画面１において、「ＯＫ」が選択入力されたか否かを判別する。イエス（Ｙ）の場合はＳＴ３０に移り、ノー（Ｎ）の場合はＳＴ３１に移る。
ＳＴ３０において、印刷パラメータの各指定値を、前記ＳＴ２３、ＳＴ２４、ＳＴ２６及びＳＴ２８で一時記憶された指定値に更新する。そして、分割設定画面を閉じ、前記図７のクライアントパソコンにおける印刷設定処理のフローチャートのＳＴ８に戻る。
ＳＴ３１において、分割設定画面１の「キャンセル」が選択されたか否かを判別する。イエス（Ｙ）の場合はＳＴ３２に移り、ノー（Ｎ）の場合はＳＴ２２に戻る。
ＳＴ３１において、前記ＳＴ２３等で一時記憶された更新データを消去する。そして、分割設定処理を終了し、前記図７のクライアントパソコンにおける印刷設定処理のフローチャートのＳＴ８に戻る。
【００９５】
（分割順設定処理のサブルーチンの説明）
図９は前記図８の分割設定処理における分割順変更処理のサブルーチンのフローチャートである。
図１０は分割順選択画面の説明図である。
図９のＳＴ４１において、分割印刷設定画面１で「分割順の設定」が選択された場合、図１０に示す分割順選択画面がディスプレイＨ２に表示される。前記分割順選択画面において、ユーザはキーボードＨ３やマウスＨ４等の入力装置によって分割順（図１０における「左上横優先」等）の選択や、「ＯＫ」、「キャンセル」の選択、入力をすることができる。そしてＳＴ４２に移る。
【００９６】
ＳＴ４２において、分割順選択画面において、分割順（「左上横優先」等）が選択された入力があったか否かを判別する。イエス（Ｙ）の場合はＳＴ４３に移り、ノー（Ｎ）の場合はＳＴ４４に戻る。
ＳＴ４３において、次の処理（１）、（２）を実行する。
（１）選択入力された分割順（分割印刷順序）を一時記憶する。
（２）選択された分割順の分割順選択画面における表示を更新する。
なお、図１０は「左上縦優先」が選択された場合の分割順選択画面の表示である。
そして、ＳＴ４２に戻る。
ＳＴ４４において、分割順選択画面において「ＯＫ」が選択入力されたか否かを判別する。イエス（Ｙ）の場合はＳＴ４５に移り、ノー（Ｎ）の場合はＳＴ４６に移る。
【００９７】
ＳＴ４５において、次の処理（１）〜（３）を実行する。
（１）分割順の指定（指定値）を一時記憶された分割順に更新する。
（２）分割設定画面１の分割順の表示を「ユーザ設定」に更新する。
（３）分割順選択画面を閉じる。
そして、分割順設定処理を終了し、図８の分割設定処理のＳＴ２３に戻る。
ＳＴ４６において、分割順選択画面において「キャンセル」が選択入力されたか否かを判別する。イエス（Ｙ）の場合はＳＴ４７に移り、ノー（Ｎ）の場合はＳＴ２２に移る。
ＳＴ４７において、一時記憶された分割順を消去すると共に分割順選択画面を閉じる。そして、分割順設定処理を終了し、図８の分割設定処理のＳＴ２３に戻る。
【００９８】
（画像位置設定処理のサブルーチンの説明）
図１１は前記図８の画像位置設定処理における画像位置設定処理のサブルーチンのフローチャートである。
図１２は画像位置選択画面の説明図である。
図１１のＳＴ５１において、分割印刷設定画面１で「画像位置の設定」が選択された場合、図１２に示す画像位置選択画面がディスプレイＨ２に表示される。前記画像位置選択画面において、ユーザはキーボードＨ３やマウスＨ４等の入力装置によって画像位置（図１２における「左上」等）の選択や、「ＯＫ」、「キャンセル」の選択、入力をすることができる。そしてＳＴ５２に移る。
【００９９】
ＳＴ５２において、画像位置選択画面において、画像位置（「左上」等）が選択された入力があったか否かを判別する。イエス（Ｙ）の場合はＳＴ５３に移り、ノー（Ｎ）の場合はＳＴ５４に戻る。
ＳＴ５３において、次の処理（１）、（２）を実行する。
（１）選択入力された画像位置を一時記憶する。
（２）選択された画像位置の画像位置選択画面における表示を更新する。
そして、ＳＴ５２に戻る。
ＳＴ５４において、画像位置選択画面において「ＯＫ」が選択入力されたか否かを判別する。イエス（Ｙ）の場合はＳＴ５５に移り、ノー（Ｎ）の場合はＳＴ５６に移る。
【０１００】
ＳＴ５５において、次の処理（１）〜（３）を実行する。
（１）画像位置の指定（指定値）を一時記憶された画像位置に更新する。
（２）分割設定画面１の画像位置の表示を「ユーザ設定」に更新する。
（３）画像位置選択画面を閉じる。
そして、画像位置設定処理を終了し、図８の分割設定処理のＳＴ２３に戻る。ＳＴ５６において、画像位置選択画面において「キャンセル」が選択入力されたか否かを判別する。イエス（Ｙ）の場合はＳＴ５７に移り、ノー（Ｎ）の場合はＳＴ２２に移る。
ＳＴ５７において、一時記憶された画像位置を消去すると共に画像位置選択画面を閉じる。そして、画像位置設定処理を終了し、図８の分割設定処理のＳＴ２３に戻る。
【０１０１】
（プリンタサーバのフローチャート）
図１３は本発明の実施の形態１の印刷処理システムのプリンタサーバにおける処理のメインフローチャートである。
図１３のフローチャートの各ＳＴ（ステップ）の処理は、前記プリンタサーバＰＳのＣＰＵの処理に従って実行される。
図１３のフローチャートは、プリンタサーバＰＳの電源がオンになった時に開始される。
【０１０２】
図１３のＳＴ１０１において、前記図６に示すメイン画面１６を表示し、ＳＴ１０２に移る。
ＳＴ１０２において、クライアントパソコンＰＣからの送信用印刷データを受信したか否か（データ入力があったか否か）を判別する。イエス（Ｙ）の場合はＳＴ１０３に移り、ノー（Ｎ）の場合はＳＴ１１２に移る。なお、このとき、受信した印刷データの情報（印刷データを送信したクライアントパソコンＰＣの識別情報や、受信した日時、全ページ数等）がメイン画面１６の保持ジョブ表示画像１６ｄに受信した順にリスト表示される。
ＳＴ１０３において、受信印刷データ（ジョブ）がジョブ保持指定されているか否かを判別する。イエス（Ｙ）の場合はＳＴ１０４に移り、ノー（Ｎ）の場合はＳＴ１０６に移る。
【０１０３】
ＳＴ１０４において、受信印刷データがジョブ保持指定されているので、受信印刷データをジョブ保持用メモリにコピーする。なお、このとき、メイン画面１６の保持ジョブ表示画像１６ｄにリスト表示された受信印刷データのうち、ジョブ保持が指定された印刷データにはジョブ保持指定がされたことを表示するためにチェックボックスにチェックが付される。
そしてＳＴ１０５に移る。
ＳＴ１０５において、ジョブ保持指定された受信印刷データが印刷するよう指定されているか否かを判別する。イエス（Ｙ）の場合はＳＴ１０６に移り、ノー（Ｎ）の場合はＳＴ１０８に移る。即ち、印刷データを送信する際に分割印刷の設定ができない本実施の形態のワークステーションＷＳ等から送信した印刷データに対して分割印刷を実行したい場合、印刷データ送信時にジョブの保持の指定をし且つ印刷しないよう指定することで、プリンタサーバの分割印刷設定画面１で印刷パラメータの指定をして分割印刷することができる。
【０１０４】
したがって、前記ＳＴ１０２〜ＳＴ１０５の処理によって、受信印刷データにジョブ保持の指定及び印刷の指定が含まれているか判別され、ジョブ保持の処理（ＳＴ１０４）が実行され、これに伴いメイン画面１６の表示が更新される。プリンタサーバＰＳのメイン画面１６において、受信印刷データは受信した順に保持ジョブ表示画像１６ｄにリスト表示され、受信時期の古い印刷データから順に印刷される。印刷される際には、印刷ジョブ表示画像１６ａの部分に受信印刷データの情報が表示されるよう印刷ジョブ表示画像１６ａが更新される。ジョブ保持の指定がされていない場合、印刷時に、印刷ジョブ表示画像１６ａに情報が表示されると共に、保持ジョブ表示画像１６ｄのリストから印刷される受信印刷データの情報が消去される。
【０１０５】
ＳＴ１０６において、印刷される受信印刷データに分割印刷の指定があるか否か（即ち、印刷される受信印刷データに分割印刷指定データが含まれているか否か）を判別する。イエス（Ｙ）の場合はＳＴ１０７に移り、ノー（Ｎ）の場合はＳＴ１０９に移る。
ＳＴ１０７において、元画像が分割して印刷される各印刷用紙の画像記録領域を演算して、各印刷用紙に印刷される分割画像データを作成しプリンタＰｒに送信する分割印刷処理（後述の図１４のサブルーチン参照）が実行され、ＳＴ１０８に移る。
ＳＴ１０８において、プリンタサーバの電源がオフになったか否かを判別する。イエス（Ｙ）の場合はプリンタサーバにおける処理を終了し、ノー（Ｎ）の場合はＳＴ１０２に戻り、クライアントパソコンＰＣ等からの入力（送信用印刷データの受信）や、プリンタサーバＰＳの入力装置（キーボードＤ３やマウスＤ４）によるユーザの入力を待つ。
【０１０６】
ＳＴ１０９において、画像サイズ（元画像サイズ）に対応する印刷用紙が使用可能であるか否かを判別する。例えば、元画像がＡ３サイズである場合に、Ａ３の印刷用紙が使用可能であるか否か（プリンタＰｒでＡ３が使用可能な用紙として認識されているか、給紙トレイの用紙が無くなっていないか等）を判別する。イエス（Ｙ）の場合はＳＴ１１０に移り、ノー（Ｎ）の場合はＳＴ１１１に移る。
ＳＴ１１０において、画像サイズに応じた印刷画像データが作成されプリンタに送信される。即ち、画像サイズに対応する印刷用紙が使用可能であるので、分割印刷されず通常の印刷が行われる。この印刷画像データを受信したプリンタＰｒでは、画像サイズに対応する印刷用紙に受信した印刷画像データが印刷される。そしてＳＴ１０８に移る。
ＳＴ１１１において、次の処理（１）、（２）が実行される。
（１）印刷対象の受信印刷データをエラージョブとして登録する。
（２）受信印刷データをエラージョブ用メモリに記憶する。
即ち、画像サイズに対応する印刷用紙が使用できず、印刷が実行できないので、印刷対象の受信印刷データを印刷せずエラージョブとして処理し、保持ジョブにリストされている次の受信印刷データの印刷処理を実行する。
そしてＳＴ１０８に移る。
【０１０７】
ＳＴ１１２において、メイン画面１６において、ジョブ保持の指定がされた受信印刷データまたはエラージョブに登録された受信印刷データのうち、ユーザが指定した作業対象ジョブ（後述のＳＴ１１８参照）の「印刷開始」（図６の作業アイコン表示画像１６ｆ参照）が選択されたか否かを判別する。イエス（Ｙ）の場合はＳＴ１０６に移り、ノー（Ｎ）の場合はＳＴ１１３に移る。
ＳＴ１１３において、メイン画面１６で、作業対象ジョブの「分割印刷設定」が選択されたか否かを判別する。イエス（Ｙ）の場合はＳＴ１１４に移り、ノー（Ｎ）の場合はＳＴ１１５に移る。
ＳＴ１１４において、プリンタサーバＰＳのディスプレイＤ２に分割印刷設定画面１が表示され、前記図７のクライアントパソコンＰＣの印刷設定処理のＳＴ８の分割設定処理（前記図８のサブルーチン）と同様の分割設定処理が作業対象ジョブに対して実行される。そしてＳＴ１０２に戻る。
【０１０８】
ＳＴ１１５において、作業対象ジョブの「ジョブ消去」が選択されたか否かを判別する。イエス（Ｙ）の場合は、ＳＴ１１６に移り、ノー（Ｎ）の場合はＳＴ１１７に移る。
ＳＴ１１６において、作業対象ジョブの受信印刷データを消去する。即ち、ジョブ保持の指定がされた印刷データの消去が選択された場合、ジョブ保持用メモリの受信印刷データが消去され、エラージョブの消去が選択された場合、エラージョブ用メモリの受信印刷データが消去される。そしてＳＴ１０２に戻る。
ＳＴ１１７において、メイン画面１６において、保持ジョブ表示画像１６ｄまたはエラージョブ表示画像１６ｅにリスト表示されたジョブのいずれかを指定する入力があったか否かを判別する。イエス（Ｙ）の場合はＳＴ１１８に移り、ノー（Ｎ）の場合はＳＴ１０２に戻る。
ＳＴ１１８において、指定されたジョブを作業対象ジョブとして記憶し、メイン画面１６の表示を更新する。
【０１０９】
したがって、前記ＳＴ１１２〜ＳＴ１１８の処理によって、ジョブ保持の指定があったジョブ（受信印刷データ）やエラージョブに対して、「分割印刷の設定」や「印刷の開始」、「ジョブの消去」等の作業をプリンタサーバＰＳで実行することができる。なお、全てのクライアントパソコンＰＣ等で分割設定処理が実行できる場合や、プリンタサーバＰＳで分割印刷設定（印刷パラメータの指定）をしなくても良い場合は、前記ＳＴ１１３、ＳＴ１１４の処理を設ける必要はない。また、プリンタサーバＰＳで印刷の指定やその他の設定等を行わない等の理由でジョブの保持をしなくても良い場合、ＳＴ１０３，ＳＴ１０４等の処理を省略することもできる。
【０１１０】
（分割印刷処理のサブルーチンの説明）
図１４は前記図１３のプリンタサーバの処理における分割印刷処理のサブルーチンのフローチャートである。
図１４のＳＴ１２１において、元画像の全ページ数Ｎｔを記憶し、ＳＴ１２２に移る。
ＳＴ１２２において、次の処理（１）、（２）を実行する。
（１）分割印刷設定判別ページ数Ｎａに１を設定する。
（２）実際に印刷される印刷用紙の枚数（実ページ数）Ｎｂを０に初期化する（リセットする）。
そして、ＳＴ１２３に移る。
ＳＴ１２３において、分割印刷設定判別ページ数Ｎａの元画像サイズ（ページサイズ）が印刷される用紙のサイズ（印刷用紙サイズ）よりも大きいか否かを判別する。ノー（Ｎ）の場合はＳＴ１２４に移り、イエス（Ｙ）の場合はＳＴ１２５に移る。
【０１１１】
ＳＴ１２４において、次の処理（１）、（２）を実行する。
（１）分割印刷設定判別ページ数Ｎａの元画像全体を印刷用紙に割り付けて印刷することを指定する。
（２）実ページ数Ｎｂに１を加える。即ち、Ｎｂ＝Ｎｂ＋１とする。
そして、ＳＴ１２７に移る。
ＳＴ１２５において、元画像サイズが印刷用紙サイズより大きいので、受信印刷データに含まれる印刷パラメータ（分割印刷の指定や回転方向、綴じ位置）の指定に基づいて、分割印刷設定判別ページの元画像を分割印刷する際の各印刷パラメータを設定する印刷画像データ分割設定処理（後述の図１５のサブルーチン参照）を実行し、ＳＴ１２６に移る。
ＳＴ１２６において、次の処理（１）、（２）を実行する。
（１）元画像が分割された分割画像が印刷される各印刷用紙にＳＴ１２５で設定された各印刷パラメータを割り付ける。このとき、各印刷用紙に対して、分割印刷順序に基づいた分割位置情報と、回転方向に基づいた基準方向情報が割り付けられる。
（２）実ページ数Ｎｂに分割印刷ページ数（分割数）を加える。
そしてＳＴ１２７に移る。
【０１１２】
ＳＴ１２７において、分割印刷設定判別ページ数Ｎａに１を加える。即ちＮａ＝Ｎａ＋１とする。そして、ＳＴ１２８に移る。
ＳＴ１２８において、分割印刷設定判別ページ数Ｎａが元画像の全ページ数Ｎｔよりも大きいか否かを判別する。イエス（Ｙ）の場合はＳＴ１２９に移り、ノー（Ｎ）の場合はＳＴ１２２に戻る。
ＳＴ１２９において、綴じ位置で綴じた印刷用紙束において、印刷用紙束を見開いた時に見開いたページの２つ分割画像が連続画像となるようにページの調整を行うページ調節処理（後述の図１９のサブルーチン参照）を実行し、ｓｔ１３０に移る。
ＳＴ１３０において、各印刷用紙毎の設定や各印刷用紙に印刷される分割画像（分割されない場合は元画像）等に基づいて、印刷用の分割印刷画像データ（ビットマップデータ）を作成し、プリンタへ送信する。そして、分割印刷処理を終了し、前記図１３のプリンタサーバＰＳのメインフローチャートのＳＴ１０７に戻る。
【０１１３】
したがって、前記ＳＴ１２１〜ＳＴ１３０の分割印刷処理によって、元画像サイズが印刷用紙サイズよりも小さい場合、元画像全てが印刷用紙に印刷できるので、ＳＴ１２４において、分割せず、元画像全てを印刷用紙に印刷するよう指定する。一方、元画像サイズが印刷用紙サイズよりも大きい場合、受信印刷データの印刷パラメータの指定に応じて、該当ページに対する分割数や自動回転の方向、印刷順序、画像位置等の印刷パラメータを設定し、分割される分割画像毎に割り付ける（ＳＴ１２５、ＳＴ１２６）。そして、ページ調節が指定されている場合にページ順が調節され（ＳＴ１２９）、各設定に基づいて印刷用紙に印刷される画像データが作成され、プリンタに送信される（ＳＴ１３０）。
【０１１４】
（印刷画像データ分割設定処理）
図１５は前記図１４の分割印刷処理における印刷画像データ分割設定処理のサブルーチンのフローチャートである。
図１５のＳＴ１４１において、受信印刷データに含まれる印刷パラメータ（両面印刷の指定や綴じ位置、回転方向、分割順（分割印刷順序）、画像位置等）の指定値を読み取る。そして、ＳＴ１４２に移る。
ＳＴ１４２において、回転方向の指定が「しない」に指定されている（自動回転の指定が無い）か否かを判別する。即ち、ユーザの入力によって、回転させずに印刷することが指定されているか否かを判別する。ノー（Ｎ）の場合はＳＴ１４３に移り、イエス（Ｙ）の場合はＳＴ１４７に移る。
【０１１５】
ＳＴ１４３において、次の処理（１）〜（６）を実行する。
（１）非回転時縦方向用紙枚数Ｍａを計算する。即ち、（元画像サイズの縦方向長さ）／（印刷用紙サイズの縦方向長さ）の値を整数値に切り上げた値を計算し、算出された整数値をＭａとする。
（２）非回転時横方向用紙枚数Ｍｂを計算する。即ち、（元画像サイズの横方向長さ）／（印刷用紙サイズの横方向長さ）の値を整数値に切り上げた値を計算し、算出された整数値をＭｂとする。
（３）回転時縦方向用紙枚数Ｍｃを計算する。即ち、（元画像サイズの横方向長さ）／（印刷用紙サイズの縦方向長さ）の値を整数値に切り上げた値を計算し、算出された整数値をＭｃとする。
（４）回転時横方向用紙枚数Ｍｄを計算する。即ち、（元画像サイズの縦方向長さ）／（印刷用紙サイズの横方向長さ）の値を整数値に切り上げた値を計算し、算出された整数値をＭｄとする。
（５）非回転時必要用紙枚数Ｍｎを計算する。即ち、（前記非回転時縦方向用紙枚数Ｍａ）×（非回転時横方向用紙枚数Ｍｂ）により算出される値をＭｎとする。
（６）回転時必要用紙枚数Ｍｒを計算する。即ち、（前記回転時縦方向用紙枚数Ｍｃ）×（回転時横方向用紙枚数Ｍｄ）により算出される値をＭｒとする。
そして、ＳＴ１４４に移る。
【０１１６】
ＳＴ１４４において、前記回転時必要用紙枚数Ｍｒの値が非回転時必要用紙枚数Ｍｎの値よりも小さいか否かを判別する。イエス（Ｙ）の場合はＳＴ１４５に移り、ノー（Ｎ）の場合はＳＴ１４７に移る。
ＳＴ１４５において、元画像を自動回転して印刷する際の回転方向を決定する（設定する）処理である回転方向設定処理（後述の図１６のサブルーチン参照）を実行し、ＳＴ１４６に移る。
ＳＴ１４６において、ＳＴ１４７の回転方向設定処理で設定された回転方向に元画像を９０度回転させることを指定し、ＳＴ１４７に移る。
ＳＴ１４７において、元画像を分割して印刷する際の順序である分割印刷順序（分割順）を、ユーザによって指定された分割印刷順序に基づいて設定する分割順設定処理（後述の図１７のサブルーチン参照）を実行し、ＳＴ１４８に移る。
ＳＴ１４８において、元画像が印刷される時に、仕上がり用紙に元画像が配置される画像位置を、ユーザによって指定された画像位置に基づいて設定する画像位置設定処理を実行する。そして、印刷画像データ分割設定処理を終了して、前記図１４の分割印刷処理のＳＴ１２６に戻る。
【０１１７】
したがって、前記ＳＴ１４１〜ＳＴ１４８の印刷画像データ分割設定処理によって、分割印刷時に自動回転して印刷することが指定されており、且つ、元画像を回転した方が印刷用紙の使用枚数が少なくなる場合に（ＳＴ１４２〜ＳＴ１４４）、ＳＴ１４５において回転方向（印刷パラメータ）が設定される。なお、このとき、図示は省略しているが、必要用紙枚数Ｍｒ，Ｍｎのうち、値の小さい方が分割数（印刷用紙使用枚数）として設定されており、ユーザにより自動回転「しない」が指定されている場合、非回転時必要用紙枚数Ｍｎが分割数に設定される。そして、ＳＴ１４７において分割印刷順序（印刷パラメータ）が設定され、ＳＴ１４８において画像位置（印刷パラメータ）が設定される。したがって、印刷画像データ分割設定処理によって、当該ページに対する各印刷パラメータが設定される。
【０１１８】
（回転方向設定処理）
図１６は前記図１５の印刷画像データ分割設定処理における回転方向設定処理のサブルーチンのフローチャートである。
図１６のＳＴ１５１において、受信印刷データに含まれる回転方向が「自動」に指定されているか否かを判別する。ノー（Ｎ）の場合はＳＴ１５２に移り、イエス（Ｙ）の場合はＳＴ１５３に移る。
ＳＴ１５２において、元画像の回転方向を、ユーザの指定した回転方向（「左回転」または「右回転」）に設定する。そして、回転方向設定処理を終了し、前記図１５の印刷画像データ分割設定処理のＳＴ１４５に戻る。
【０１１９】
ＳＴ１５３において、綴じ位置が「右綴じ」に指定されているか否かを判別する。イエス（Ｙ）の場合はＳＴ１５４に移り、ノー（Ｎ）の場合はＳＴ１５５に移る。
ＳＴ１５４において、元画像の回転方向を「右方向」（右回転）に設定する。そして、回転方向設定処理を終了し、前記図１５の印刷画像データ分割設定処理のＳＴ１４５に戻る。
ＳＴ１５５において、元画像の回転方向を「左方向」（左回転）に設定する。そして、回転方向設定処理を終了し、前記図１５の印刷画像データ分割設定処理のＳＴ１４５に戻る。
【０１２０】
したがって、前記ＳＴ１５１〜ＳＴ１５５の回転方向設定処理によって、回転方向の指定が「自動」である場合には、綴じ位置の指定に基づいて元画像の回転方向が設定され、ユーザの指定がある場合には指定された回転方向に元画像の回転方向が設定される。なお、本実施の形態では、綴じ位置が右綴じの場合のみ「右回転」とし、それ以外の綴じ位置では左回転に設定したが、これらの組み合わせは任意に変更可能である。また、綴じ位置と回転方向との関係を示すテーブルを参照しながら、回転方向を設定するよう処理することも可能である。さらに、綴じ位置以外の印刷パラメータに基づいて回転方向を設定するよう処理することも可能であり、印刷パラメータに関係なく、例えば、ユーザの指定がなければ「左回転」に設定するよう処理することも可能である。
【０１２１】
（分割順設定処理）
図１７は前記図１５の印刷画像データ分割設定処理における分割順設定処理のサブルーチンのフローチャートである。
図１７のＳＴ１６１において、受信印刷データに含まれる分割順（分割印刷順序）が「自動」に指定されているか否かを判別する。ノー（Ｎ）の場合はＳＴ１６２に移り、イエス（Ｙ）の場合はＳＴ１６３に移る。
ＳＴ１６２において、元画像の分割順を、ユーザの指定した分割順（「左上横優先」等）に設定する。そして、分割順設定処理を終了し、前記図１５の印刷画像データ分割設定処理のＳＴ１４７に戻る。
【０１２２】
ＳＴ１６３において、綴じ位置が「左綴じ」に指定されているか否かを判別する。イエス（Ｙ）の場合はＳＴ１６４に移り、ノー（Ｎ）の場合はＳＴ１６５に移る。
ＳＴ１６４において、元画像の分割順を「左上横優先」に設定する。そして、分割順設定処理を終了し、前記図１５の印刷画像データ分割設定処理のＳＴ１４７に戻る。
ＳＴ１６５において、綴じ位置が「右綴じ」に指定されているか否かを判別する。イエス（Ｙ）の場合はＳＴ１６６に移り、ノー（Ｎ）の場合はＳＴ１６７に移る。
ＳＴ１６６において、元画像の分割順を「右上横優先」に設定する。そして、分割順設定処理を終了し、前記図１５の印刷画像データ分割設定処理のＳＴ１４７に戻る。
【０１２３】
ＳＴ１６７において、綴じ位置が「上綴じ」に指定されているか否かを判別する。イエス（Ｙ）の場合はＳＴ１６８に移り、ノー（Ｎ）の場合はＳＴ１７１に移る。
ＳＴ１６８において、回転方向が「右方向」（右回転）に指定されているか否かを判別する。イエス（Ｙ）の場合はＳＴ１６９に移り、ノー（Ｎ）の場合はＳＴ１７０に移る。
ＳＴ１６９において、元画像の分割順を「右上縦優先」に設定する。そして、分割順設定処理を終了し、前記図１５の印刷画像データ分割設定処理のＳＴ１４７に戻る。
ＳＴ１７０において、元画像の分割順を「左上縦優先」に設定する。そして、分割順設定処理を終了し、前記図１５の印刷画像データ分割設定処理のＳＴ１４７に戻る。
【０１２４】
ＳＴ１７１において、回転方向が「右方向」（右回転）に指定されているか否かを判別する。イエス（Ｙ）の場合はＳＴ１７２に移り、ノー（Ｎ）の場合はＳＴ１７３に移る。
ＳＴ１７２において、元画像の分割順を「右下縦優先」に設定する。そして、分割順設定処理を終了し、前記図１５の印刷画像データ分割設定処理のＳＴ１４７に戻る。
ＳＴ１７３において、元画像の分割順を「左下縦優先」に設定する。そして、分割順設定処理を終了し、前記図１５の印刷画像データ分割設定処理のＳＴ１４７に戻る。
【０１２５】
したがって、前記ＳＴ１６１〜ＳＴ１７３の分割順設定処理によって、分割順の指定が「自動」になっている場合には、綴じ位置と回転方向の指定に応じて分割順が自動的に設定される。自動的に設定される分割順は、印刷用紙が綴じられた印刷用紙束を見開いた時に、見開きページに連続画像が形成されやすくなるように設定されている。例えば、左綴じの場合には左右方向に見開かれるので、元画像の左上から分割印刷を開始して、横方向（左右方向）に隣接する画像を優先的に印刷し（ＳＴ１６４）、上綴じで右回転の場合には、右上から分割印刷を開始して縦方向（上下方向）に隣接する画像を優先的に印刷する（ＳＴ１６９）よう設定される。
【０１２６】
なお、前記分割順（分割印刷順序）の設定は、回転方向に関係なく綴じ位置との関係だけで設定するように処理することも可能であるし、他の印刷パラメータに基づいて設定することも可能である。また、本実施の形態では、図１７の処理において、前記図１０の分割順選択画面に示す８種類の分割順のうち、６種類のいずれかが設定されるように処理されるが、判別条件（ＳＴ１６３，ＳＴ１６５等）を増やすことによって全８種類設定されるよう処理することも可能であるし、判別条件を減らすことによって６種類以下に設定されるよう処理することも可能である。さらに、綴じ位置、回転方向及び分割順の関係を示すテーブル用意しておき、前記テーブルを参照しながら、分割順を設定するよう処理することも可能である。
【０１２７】
（画像位置設定処理）
図１８は前記図１５の印刷画像データ分割設定処理における画像位置設定処理のサブルーチンのフローチャートである。
図１８のＳＴ１８１において、受信印刷データに含まれる画像位置が「自動」に指定されているか否かを判別する。ノー（Ｎ）の場合はＳＴ１８２に移り、イエス（Ｙ）の場合はＳＴ１８３に移る。
ＳＴ１８２において、元画像の画像位置を、ユーザの指定した画像位置（「左上」等）に設定する。そして、画像位置設定処理を終了し、前記図１５の印刷画像データ分割設定処理のＳＴ１４８に戻る。
【０１２８】
ＳＴ１８３において、綴じ位置が「左綴じ」に指定されているか否かを判別する。イエス（Ｙ）の場合はＳＴ１８４に移り、ノー（Ｎ）の場合はＳＴ１８５に移る。
ＳＴ１８４において、元画像の画像位置を「左上」に設定する。そして、画像位置設定処理を終了し、前記図１５の印刷画像データ分割設定処理のＳＴ１４８に戻る。
ＳＴ１８５において、綴じ位置が「上綴じ」に指定されているか否かを判別する。イエス（Ｙ）の場合はＳＴ１８６に移り、ノー（Ｎ）の場合はＳＴ１８８に移る。
ＳＴ１８６において、回転方向が「右方向」（右回転）に指定されているか否かを判別する。イエス（Ｙ）の場合はＳＴ１８７に移り、ノー（Ｎ）の場合は前記ＳＴ１８４に移る。
ＳＴ１８７において、元画像の画像位置を「右上」に設定する。そして、画像位置設定処理を終了し、前記図１５の印刷画像データ分割設定処理のＳＴ１４８に戻る。
【０１２９】
ＳＴ１８８において、綴じ位置が「右綴じ」に指定されているか否かを判別する。イエス（Ｙ）の場合は前記ＳＴ１８７移り、ノー（Ｎ）の場合はＳＴ１８９に移る。
ＳＴ１８９において、回転方向が「右方向」（右回転）に指定されているか否かを判別する。イエス（Ｙ）の場合はＳＴ１９０に移り、ノー（Ｎ）の場合はＳＴ１９１に移る。
ＳＴ１９０において、元画像の画像位置を「右下」に設定する。そして、画像位置設定処理を終了し、前記図１５の印刷画像データ分割設定処理のＳＴ１４８に戻る。
ＳＴ１９１において、元画像の画像位置を「左下」に設定する。そして、画像位置設定処理を終了し、前記図１５の印刷画像データ分割設定処理のＳＴ１４８に戻る。
【０１３０】
したがって、前記ＳＴ１８１〜ＳＴ１９１の画像位置分割順設定処理によって、画像位置の指定が「自動」になっている場合には、綴じ位置と回転方向の指定に応じて画像位置が自動的に設定される。自動的に設定される画像位置は、印刷される順序が早い印刷用紙に形成される余白領域が少なくなる（または無くなる）ように設定されている。例えば、左綴じの場合には前記図１７の分割順設定処理のＳＴ１６４において、左上から印刷されるので、画像位置を「左上」に設定し（ＳＴ１８４）、下綴じで右回転の場合には前記ＳＴ１７２において右下から印刷されるので、画像位置を「右下」に設定する（ＳＴ１８９）。
【０１３１】
なお、前記画像位置の設定は、回転方向に関係なく綴じ位置との関係だけで設定するように処理することも可能であるし、綴じ位置や回転方向以外の印刷パラメータに基づいて設定することも可能である。また、本実施の形態では、図１８の処理において、前記図１２の画像位置選択画面に示す９種類の画像位置のうち、４種類のいずれかが設定されるように処理されるが、判別条件（ＳＴ１８３，ＳＴ１８５等）を増やすことによって全９種類設定されるよう処理することも可能であるし、判別条件を減らすことによって４種類以下に設定されるよう処理することも可能である。さらに、綴じ位置、回転方向及び画像位置の関係を示すテーブル用意しておき、前記テーブルを参照しながら、画像位置を設定するよう処理することも可能である。
【０１３２】
（ページ順調整処理）
図１９は前記図１４の分割印刷処理におけるページ調節処理のサブルーチンのフローチャートである。
図１９のＳＴ２０１において、受信印刷データに含まれる印刷パラメータにおいて、両面印刷を実行することが指定されているか否かを判別する。イエス（Ｙ）の場合はＳＴ２０２に移り、ノー（Ｎ）の場合はページ調節処理（ページ順調整処理）を終了して図１４の分割印刷処理のＳＴ１２９に戻る。
ＳＴ２０２において、ページ調節（ページ順の調整）を実行することが指定されているか否かを判別する。イエス（Ｙ）の場合はＳＴ２０３に移り、ノー（Ｎ）の場合はノー（Ｎ）の場合はページ調節処理を終了して図１４の分割印刷処理のＳＴ１２９に戻る。
【０１３３】
ＳＴ２０３において、実際に印刷される印刷用紙の枚数である前記実ページ数Ｎｂに対応するページ順調節判別ページ数Ｎｃに１を設定する。そして、ＳＴ２０４に移る。
ＳＴ２０４において、前記ページ順調節判別ページ数Ｎｃが「奇数」であるか否かを判別する。即ち、ページ調節判別ページが両面印刷時に表面側に印刷されるのか否かを判別する。ノー（Ｎ）の場合はＳＴ２０５に移り、イエス（Ｙ）の場合はＳＴ２０７に移る。
ＳＴ２０５において、ページ調節判別ページ数Ｎｃに１を加える。即ち、Ｎｃ＝Ｎｃ＋１とする。そして、ＳＴ２０６に移る。
ＳＴ２０６において、ページ調節判別ページ数Ｎｃが実ページ数Ｎｂよりも大きいか否かを判別する。即ち、残りのページがあるか否かを判別する。ノー（Ｎ）の場合はＳＴ２０４に戻り、イエス（Ｙ）の場合はページ調節処理を終了し、前記図１４の分割印刷処理のＳＴ１２９に戻る。
【０１３４】
ＳＴ２０７において、ページ調節判別ページ数Ｎｃに分割位置情報（分割表示）が割り付けられているか否かを判別する。ノー（Ｎ）の場合は前記ＳＴ２０５に移り、イエス（Ｙ）の場合はＳＴ２０８に移る。
ＳＴ２０８において、前記ページ調節判別ページ数Ｎｃの次のページである連続画像判別ページ数Ｎｄ（＝Ｎｃ＋１）が実ページ数Ｎｂ以下であるか否かを判別する。即ち、連続画像判別ページが存在するか否かを判別する。ノー（Ｎ）の場合は前記ＳＴ２０５に移り、イエス（Ｙ）の場合はＳＴ２０９に移る。
ＳＴ２０９において、連続画像判別ページ数Ｎｄの画像に分割位置情報（分割表示）が割り付けられているか否かを判別する。ノー（Ｎ）の場合はＳＴ２０５に移り、イエス（Ｙ）の場合はＳＴ２１０に移る。
【０１３５】
ＳＴ２１０において、綴じ位置に「上綴じ」または「下綴じ」が設定されているか否かを判別する。イエス（Ｙ）の場合は、ＳＴ２１１に移り、ノー（Ｎ）の場合はＳＴ２１２に移る。
「上綴じ」または「下綴じ」が指定されている場合、ＳＴ２１１において、ページ調節判別ページ（ページ調節判別ページ数Ｎｃのページ）の縦分割位置情報表示値に１を加算（上綴じの場合）または減算（下綴じの場合）した値が、連続画像判別ページ（連続画像判別ページ数Ｎｄのページ）の縦分割位置情報表示値と同値であるか否かを判別する。ノー（Ｎ）の場合は前記ＳＴ２０５に移り、イエス（Ｙ）の場合はＳＴ２１３に移る。
一方、「左綴じ」または「右綴じ」が指定されている場合、ＳＴ２１２において、ページ調節判別ページ（ページ調節判別ページ数Ｎｃのページ）の横分割位置情報表示値に１を加算（左綴じの場合）または減算（右綴じの場合）した値が、連続画像判別ページ（連続画像判別ページ数Ｎｄのページ）の横分割位置情報表示値と同値であるか否かを判別する。ノー（Ｎ）の場合は前記ＳＴ２０５に移り、イエス（Ｙ）の場合はＳＴ２１３に移る。
【０１３６】
ＳＴ２１３において、次の処理（１）〜（３）を実行する。
（１）ページ調節判別ページ以降の全てのページの実ページ数Ｎｂの値を全てＮｂ＋１に設定する。即ち、全てのページを１ページずつ後にずらす。
（２）ページ調節判別ページの印刷画像データを白紙に設定する。即ち、ページ調節判別ページに白紙を挿入して、１ページずつ後にずらすことによってページの調節を行う。
（３）ページ調節判別ページと連続画像判別ページとが連続画像であることが判別され、連続画像となるようにページ数を１ページずつ後にずらしたので、次にページ調節するか否かを判別を行うのは連続画像判別ページの次のページに設定する必要がある。ＳＴ２１３の（１）、（２）の処理により、ページ調節判別ページ数Ｎｃが白紙となり、ページ数をずらす前のページ調節判別ページ数Ｎｃの画像がＮｃ＋１のページに印刷され、ページ数をずらす前の連続画像判別ページ数Ｎｄの画像がＮｄ＋１（＝Ｎｃ＋２）のページに印刷される。したがって、次のページ調節判別ページはＮｃ＋３のページとなるので、ページ調節判別ページ数Ｎｃの値に３を加える。
そして、ＳＴ２０６に移る。
【０１３７】
したがって、前記ＳＴ２０１〜ＳＴ２１３のページ調節処理によって、両面印刷が指定され且つ、表面（ページ調節判別ページ）に印刷される画像と裏面（連続画像判別ページ）に印刷される画像とが連続画像となるか否かを分割位置情報表示値によって判別する。即ち、上綴じまたは下綴じの場合、縦分割位置情報表示値が連続していれば、綴じられた印刷用紙を見開いたページの上側のページと下側のページに配置すれば連続画像が形成されると判別できる。また、左綴じまたは右綴じの場合、横分割位置情報表示値が連続していれば、綴じられた印刷用紙を見開いたページの左側のページと右側のページに配置すれば連続画像が形成されると判別できる。そして、前記連続画像が形成されるページの組み合わせであると判別された場合、印刷用紙の表面に白紙を挿入して、ページを１ページずつ後にずらすことによって、表面の画像が裏面に、裏面の画像が次の印刷用紙の表面に印刷される。したがって、綴じ位置で綴じた場合、見開き時に連続画像が形成される。なお、本実施の形態では、分割位置情報表示値に基づいて連続画像が形成されるか否かを判別したが、他のパラメータに基づいて判別することも可能である。例えば、分割印刷順序を設定する際に、各印刷用紙に連続画像が形成される印刷用紙の情報を付与しておき、この情報に基づいて判別することも可能である。
【０１３８】
（実施の形態１の作用）
前記構成を備えた実施の形態１の印刷処理システムＳでは、クライアントパソコンＰＣで印刷パラメータ（両面印刷の指定や分割印刷順序等）の指定がされた場合、印刷パラメータが含まれる送信用印刷データがプリンタサーバＰＳに送信される。前記送信用印刷データを受信したプリンタサーバＰＳでは、送信用印刷データを受信印刷データとして記憶し、印刷パラメータに基づいて、受信印刷データの元画像データのページ毎に、分割して印刷するか否かを判別する。そして、分割印刷を行うページに対して、印刷パラメータに基づいて回転方向や分割順（分割印刷順序）、画像位置が設定される。そして、各分割画像データに対して、印刷パラメータに基づいて、綴じられた印刷用紙束を見開いた時に連続画像になるようにページの調整が行われる。そして、前記各設定に基づいて、指定された印刷用紙サイズ用の印刷画像データが作成され、プリンタＰｒに送信され印刷される。
【０１３９】
また、ワークステーションＷＳやデータベースサーバ等の分割印刷の設定ができないホストコンピュータから送信された印刷パラメータを含まない送信用印刷データをプリンタサーバＰＳが受信した場合でも、送信時にジョブ保持の指定等をすることにより、プリンタサーバＰＳにおいて印刷パラメータの設定を行い、印刷パラメータを含む印刷データ（受信印刷データ）を作成することができる。
【０１４０】
したがって、前記印刷処理システムＳのクライアントパソコンＰＣ（画像処理装置）によって作成された分割印刷指定データを含む送信用印刷データを受信したプリンタサーバＰＳ（画像処理装置）によって、元画像の印刷に使用する印刷用紙のサイズである印刷用紙サイズよりも前記元画像サイズが大きい場合に前記元画像を前記印刷用紙サイズの複数の印刷用紙に自動的に分割して印刷することが指定されている場合には、印刷用紙サイズよりも元画像サイズが大きな場合に元画像サイズの元画像全てを、縮小せずに分割して複数の印刷用紙に印刷することができる。この結果、複数ページの元画像データにおいて、元画像サイズがページ毎に異なる場合や、例えば、全てＡ３の元画像をＡ４の印刷用紙に印刷したい場合にも、画像の一部が印刷されたり、縮小して印刷されることを防止することができる。
【０１４１】
また、プリンタサーバＰＳにおける処理によって、元画像を９０度回転した状態で前記印刷用紙に分割印刷した方が印刷用紙の使用枚数が少なくなる場合には、元画像を９０度回転した状態でプリンタ（印刷装置）Ｐｒ等に印刷させることができ、元画像を９０度回転しない状態で前記印刷用紙に分割印刷した方が印刷用紙の使用枚数が少なくなる場合には、元画像を回転させずに印刷させることができる。この結果、印刷用紙の使用枚数を削減でき、用紙の無駄を無くすことができ、印刷コストを低減することができる。また、使用枚数が少なくなるように設定されるので、画像が印刷されていない余白領域を使用枚数が多くなる場合と比較して小さくすることができる。
【０１４２】
また、分割位置情報を付けるよう指定されている場合、分割画像印刷用紙に印刷された分割位置情報によって、ユーザが分割画像印刷用紙どうしの位置関係を印刷された印刷用紙を見て把握することができると共に、位置関係に基づいて元画像が形成されるように分割画像印刷用紙を並べて配置することが容易にできる。またレイアウト画像情報を印刷した場合、全体に対する分割画像印刷用紙の位置を容易に把握することができる。さらに、基準方向情報を付けるよう指定されている場合、分割画像印刷用紙に印刷された基準方向情報によって、分割画像印刷用紙どうしの上下左右の位置関係を容易に把握することができる。また、元画像を９０度回転した場合、自動的に回転して印刷されたことを把握することも可能となる。
【０１４３】
また、ページ順の調節を実行することを指定した場合、連続画像判別手段で連続画像となると判別された場合に、前記先の頁に白紙を割り付けて、頁順を１頁ずつずらすことによって、両面印刷された印刷用紙を綴じた印刷用紙束を見開いた時に、連続画像が形成されるよう調節される。
また、自動回転方向や分割順、画像位置は、初期指定値が「自動」に設定されており、綴じ位置の指定に基づいて自動回転方向や分割順、画像位置が自動で設定されるので、ユーザが複雑な設定をしなくても、綴じ位置に対して最適と思われる自動回転方向、分割順及び画像位置に自動的に設定される。したがって、ユーザが全ての印刷パラメータの指定を行わなくても、自動的に設定されるので、ユーザの手間を省くことができ、作業効率を高めることができる。
【０１４４】
（実施の形態１の具体例１）
図２０は、実施の形態１の具体例１の元画像データの説明図であり、図２０Ａは１ページ目の元画像の説明図、図２０Ｂは２ページ目の元画像の説明図、図２０Ｃは３ページ目の元画像の説明図である。
図２０において、１ページ目がＡ４縦、２ページ目がＡ３横、３ページ目がＡ３縦の元画像データを、印刷用紙サイズがＡ４縦の用紙に、印刷パラメータとして、自動分割印刷「実行」、両面印刷「無（しない）」、綴じ位置「左側」、回転方向「自動」、分割順（分割印刷順序）「自動」、画像位置「自動」、分割表示（分割位置情報）「付ける」、回転表示（基準方向情報）「付ける」、ページ順の調整「無し（行わない）」を指定して印刷を実行する。
【０１４５】
図２１は前記図２０の２ページ目の元画像データを分割した分割画像の説明図であり、図２１Ａは左側の分割画像の説明図、図２１Ｂは右側の分割画像の説明図である。
合計３ページの元画像データ及び前記指定の印刷パラメータを受信したプリンタサーバＰＳでは、元画像の１ページ目は、印刷用紙サイズと元画像用紙サイズが同サイズなので、図１４の分割印刷処理のＳＴ１２４において、分割されず全体が割り付けられる。図２１において、元画像の２ページ目は、印刷用紙サイズ（Ａ４縦）よりも元画像サイズ（Ａ３横）が大きく、回転しない方が使用枚数が少ないので、自動回転が行われず、分割数が２つに設定される。そして、分割順が自動なので、「左上横優先」が自動設定され、左側の分割画像が先に印刷される。そして、実ページ数は左側の分割画像が２ページ、右側の画像が３ページとなる（割り付けられる）。
【０１４６】
図２２は前記図２０の３ページ目の元画像データを回転せずに分割した分割画像の説明図であり、図２２Ａは左上の分割画像の説明図、図２２Ｂは右上の分割画像の説明図、図２２Ｃは左下の分割画像の説明図、図２２Ｄは右下の分割画像の説明図である。
図２３は前記図２０の３ページ目の元画像データを回転した後分割した分割画像の説明図であり、図２３Ａは左側の分割画像の説明図、図２３Ｂは右側の分割画像の説明図である。
図２０に示す元画像の３ページ目は、印刷用紙サイズ（Ａ４縦）よりも元画像サイズ（Ａ３縦）が大きいので元画像が分割される。このとき、回転せずに分割した場合、図２２に示すように印刷用紙が４枚必要だが（図１５のＳＴ１４３のＭｎ参照）、回転した後に分割した場合、図２３に示すように印刷用紙２枚で印刷できる（図１５のＳＴ１４２のＭｒ参照）。実施の形態１の具体例１では、自動回転方向「自動」が指定されているので、図２３に示すように回転した後分割画像が形成される（図１５のＳＴ１４５、ＳＴ１４６参照）。なお、このとき、綴じ位置が「左側」なので、自動回転の方向は左方向（図１６のＳＴ１５５参照）に自動設定される。そして、分割順が自動なので、「左上横優先」が自動設定され、左側の分割画像が先に印刷される。したがって、実ページ数は左側の分割画像が４ページ、右側の画像が５ページとなる。
【０１４７】
図２４は、前記図２０の元画像データを分割して印刷した分割画像印刷用紙の説明図であり、図２４Ａは１ページ目の分割画像印刷用紙の説明図、図２４Ｂは２ページ目の分割画像印刷用紙の説明図、図２４Ｃは３ページ目の分割画像印刷用紙の説明図である。
図２５は、前記図２０の元画像データを分割して印刷した分割画像印刷用紙の説明図であり、図２５Ａは４ページ目の分割画像印刷用紙の説明図、図２５Ｂは５ページ目の分割画像印刷用紙の説明図である。
したがって、前記各設定によって自動回転や分割印刷順序が設定されたデータに基づいて、図２４，図２５に示す分割画像が印刷される。ここで、分割位置情報及び基準方向情報が「付ける」に指定されているので、分割されていない図２４Ａの実ページ数１ページ目の分割画像印刷用紙には元画像のページ数である１が用紙下端部中央に印刷されている。
【０１４８】
元画像の２ページ目が分割されて印刷された実ページ数３ページ及び４ページの分割画像印刷用紙には、図２４Ｂ、図２４Ｃに示すように、分割位置情報が（元画像のページ数）／（横分割位置表示値）−（縦分割位置表示値）のスタイルで印刷され、分割位置情報の右に隣接して基準方向情報としての矢印が印刷されている。したがって、前記分割位置情報によって、実ページ数２ページ及び３ページが元画像の２ページ目が分割されたものであること、２ページ目と３ページ目が横方向に隣接する画像であることが把握でき、基準方向情報から元画像の上方向を把握できる。
図２５において、元画像の３ページ目が回転した後分割して印刷された実ページ数４ページ及び５ページの分割画像印刷用紙には、図２５Ａ、図２５Ｂに示すように分割位置情報と、基準方向情報の矢印が印刷されている。このとき、基準方向情報の矢印は、元画像の自動回転方向である左方向に９０度回転した矢印が印刷されており、前記矢印によって、自動回転された画像であること、自動回転方向及び元画像データの上方向を把握することができる。なお、実施の形態１では、前記分割位置情報及び基準方向情報を印刷用紙表面の下端部中央に印刷しているが、これらの位置は任意に変更可能であり、例えば、片面印刷の場合、裏面に印刷するよう構成することも可能である。また、印刷用紙の四辺に余白がある場合、余白に印刷してもよい。また、分割位置情報の印刷スタイルは、図２４，図２５に限定されず、任意のスタイルで印刷することも可能である。
【０１４９】
図２６は、前記図２０の元画像データの３ページを回転せずに分割して印刷した場合の分割画像印刷用紙の説明図であり、図２６Ａは４ページ目の分割画像印刷用紙の説明図、図２６Ｂは５ページ目の分割画像印刷用紙の説明図、図２６Ｃは６ページ目の分割画像印刷用紙の説明図、図２６Ｄは７ページ目の分割画像印刷用紙の説明図である。
前記実施の形態１の具体例１の元画像データを印刷する際に、自動回転「しない」が指定された場合、元画像のページ数１，２ページは図２４と同様に印刷される。元画像の３ページは、図２６に示すように「左上横優先」の分割印刷順序で印刷される。また、図２６において、綴じ位置が「左側」、画像位置が「自動」に指定されているので、画像位置が「左上」に自動設定される（図１８のＳＴ１８４参照）。
【０１５０】
（実施の形態１の具体例２）
図２７は、実施の形態１の具体例２の元画像データの説明図であり、図２７Ａは１ページ目の元画像の説明図、図２７Ｂは２ページ目の元画像の説明図、図２７Ｃは３ページ目の元画像の説明図である。
図２７において、１ページ目がＢ５横、２ページ目がＢ４縦、３ページ目がＡ３縦の元画像データを、印刷用紙サイズがＢ５横の用紙に、印刷パラメータとして、自動分割印刷「実行」、両面印刷「有り」、綴じ位置「上側」、回転方向「自動」、分割順（分割印刷順序）「自動」、画像位置「自動」、分割表示（分割位置情報）「付ける」、回転表示（基準方向情報）「付ける」、ページ順の調整「無し（行わない）」を指定して印刷を実行する。
【０１５１】
図２８は前記図２７の２ページ目の元画像データを分割した分割画像の説明図であり、図２８Ａは自動回転をしない場合の分割画像の説明図、図２８Ｂは自動回転を行う場合の分割画像の説明図である。
合計３ページの元画像データ及び前記指定の印刷パラメータを受信したプリンタサーバＰＳでは、元画像の１ページ目は、印刷用紙サイズと元画像用紙サイズが同サイズなので、分割されず全体が割り付けられる（図１４の分割印刷処理のＳＴ１２４参照）。図２７において、元画像の２ページ目は、印刷用紙サイズ（Ｂ５横）よりも元画像サイズ（Ｂ４縦）が大きいので、元画像が分割される。このとき、回転せずに分割した場合、図２８Ａに示すように印刷用紙２枚で印刷できるが、回転した後に分割した場合、図２８Ｂに示すように印刷用紙が４枚必要となる。実施の形態１の具体例２では、自動回転方向「自動」が指定されているので、元画像の２ページは図２８Ａに示すように回転せずに分割画像が形成される。なお、このとき、綴じ位置が「上側」、分割順が自動に指定されているので、「左上縦優先」が自動設定され（図１７のＳＴ１７０参照）、左側の分割画像が先に印刷される。したがって、実ページ数が上側の分割画像が２ページ、下側の画像が３ページとなる。
【０１５２】
図２９は前記図２７の３ページ目の元画像データを分割した分割画像の説明図であり、図２９Ａは回転せずに分割した分割画像の説明図、図２９Ｂは回転した後分割した分割画像の説明図である。
図２７に示す元画像の３ページ目は、印刷用紙サイズ（Ｂ５横）よりも元画像サイズ（Ａ４縦）が大きいので元画像が分割される。このとき、回転せずに分割した場合、図２９Ａに示すように印刷用紙が６枚必要だが、回転した後に分割した場合、図２９Ｂに示すように印刷用紙４枚で印刷でき（図１５のＳＴ１４３、ＳＴ１４４の処理参照）、回転した方が使用用紙枚数を減らすことができ、仕上がり用紙の右下部分に形成される余白領域を狭くできる。実施の形態１の具体例２では、綴じ位置が「上側」、自動回転方向「自動」が指定されているので、図２９Ｂに示すように左方向に自動回転した後（図１６のＳＴ１５５参照）、分割画像が形成される。そして、綴じ位置が「上側」、分割順が「自動」に指定されているので、「左上縦優先」が自動設定され（図１７のＳＴ１７０参照）、左上、左下、右上、右下の順に分割画像が先に印刷される。これに応じて、実ページ数４〜７ページが割り付けられる。また、綴じ位置が「上側」、画像位置が「自動」に指定されているで、画像位置「左上」が自動設定され（図１８のＳＴ１８４参照）、左上に画像が印刷され、右下に余白領域が形成される（図２９Ｂ参照）。
【０１５３】
図３０は、前記図２７の元画像データを分割して印刷した分割画像印刷用紙の説明図であり、図２７Ａは１ページ目の分割画像印刷用紙の説明図、図２７Ｂは２ページ目の分割画像印刷用紙の説明図、図２７Ｃは３ページ目の分割画像印刷用紙の説明図である。
図３１は、前記図２７の元画像データを分割して印刷した分割画像印刷用紙の説明図であり、図３１Ａは４ページ目の分割画像印刷用紙の説明図、図３１Ｂは５ページ目の分割画像印刷用紙の説明図、図３１Ｃは６ページ目の分割画像印刷用紙の説明図、図３１Ｄは７ページ目の分割画像印刷用紙の説明図である。
したがって、前記各設定によって自動回転や分割印刷順序が設定されたデータに基づいて、図３０，図３１に示す分割画像が両面印刷で印刷される。各印刷用紙には、前記実施の形態１の具体例１と同様の分割位置情報及び基準方向情報に加え、４分割された元画像の３ページの各分割画像印刷用紙には、レイアウト画像位置情報が印刷されている。即ち、分割位置が左上の図３１Ａの分割画像印刷用紙には、図３１Ａの用紙が全体の左上に配置されることを示すために左上が塗りつぶされたレイアウト画像位置情報が用紙左上隅に印刷されている。図３１Ｂ〜図３１Ｄの各分割画像印刷用紙にも、それぞれの配置位置に対応したレイアウト画像位置情報が印刷されている。なお、実施の形態１では前記レイアウト画像位置情報は４分割の場合に印刷されるが、２分割の際にも印刷するよう構成することも可能である。またレイアウト画像位置情報の印刷位置およびレイアウト画像のスタイルは任意に変更可能である。
【０１５４】
（実施の形態１の具体例３）
図３２は、実施の形態１の具体例３の元画像データの説明図であり、図３２Ａは１ページ目の元画像の説明図、図３２Ｂは２ページ目の元画像の説明図、図３２Ｃは３ページ目の元画像の説明図である。
図３２において、１ページ目がＡ３縦、２ページ目がＡ４縦、３ページ目が定形外（変形）の元画像データを、印刷用紙サイズがＡ４縦の用紙に、印刷パラメータとして、自動分割印刷「実行」、両面印刷「有り」、綴じ位置「右側」、回転方向「自動」、分割順（分割印刷順序）「自動」、画像位置「自動」、分割表示（分割位置情報）「付ける」、回転表示（基準方向情報）「付ける」、ページ順の調整「無し（行わない）」を指定して印刷を実行する。
【０１５５】
図３３は前記図３２の１ページ目の元画像データを分割した分割画像の説明図であり、図３３Ａは自動回転をしない場合の分割画像の説明図、図３３Ｂは自動回転を行う場合の分割画像の説明図である。
図３３において、合計３ページの元画像データ及び前記指定の印刷パラメータを受信したプリンタサーバＰＳでは、元画像の１ページ目は、印刷用紙サイズ（Ａ４縦）よりも元画像サイズ（Ａ３縦）が大きいので、元画像が分割される。このとき、回転せずに分割した場合、図３３Ａに示すように印刷用紙が４枚必要となるが、回転した後に分割した場合、図３３Ｂに示すように印刷用紙２枚で印刷できる。したがって、実施の形態１の具体例３では、綴じ位置が「右側」、自動回転方向が「自動」に指定されているので、図１６のＳＴ１５４の処理により、元画像の１ページは図３３Ｂに示すように右方向に回転した後分割画像が形成される。このとき、綴じ位置が「右側」、分割順が自動に指定されているので、「右上横優先」が自動設定され（図１７のＳＴ１６６参照）、右の分割画像が先に印刷される。したがって、図３３Ｂにおいて、実ページ数が右側の分割画像が１ページ、左側の画像が２ページに割り付けられる。
元画像の２ページは、印刷用紙サイズ（Ａ４縦）と元画像用紙サイズ（Ａ４縦）が同サイズなので、分割されず全体が割り付けられる（図１４の分割印刷処理のＳＴ１２４参照）。実ページ数は３ページとなる。
【０１５６】
図３４は前記図３２の３ページ目の元画像データを分割した分割画像の説明図であり、図３４Ａは回転せずに分割した分割画像の説明図、図３４Ｂは回転した後分割した分割画像の説明図である。
図３２に示す元画像の３ページ目は、印刷用紙サイズ（定形外）よりも元画像サイズ（Ａ４縦）が大きいので元画像が分割される。このとき、回転せずに分割した場合、図３４Ａに示すように印刷用紙が２枚で印刷できるが、回転した後に分割した場合、図３４Ｂに示すように印刷用紙が３枚必要となる（図１５のＳＴ１４３、ＳＴ１４４の処理参照）。そして、回転しない方が、図３４Ａに示すように、仕上がり用紙の左下部分に形成される余白領域を狭くできる。したがって、元画像の３ページは回転せずに分割される。そして、綴じ位置が「右側」、分割順が「自動」に指定されているので、「右上横優先」が自動設定され（図１７のＳＴ１６６参照）、図３４Ａにおいて上側の分割画像が先に印刷される。これに応じて、実ページ数４、５ページが割り付けられる。綴じ位置が「上側」、画像位置が「自動」に指定されているで、画像位置「右上」が自動設定され（図１８のＳＴ１８７参照）、右上に画像が印刷され、左下に余白領域が形成される（図３４Ｂ参照）。
【０１５７】
図３５は、前記図３２の元画像データを分割して印刷した分割画像印刷用紙の説明図であり、図３５Ａは１ページ目の分割画像印刷用紙の説明図、図３５Ｂは２ページ目の分割画像印刷用紙の説明図、図３５Ｃは３ページ目の分割画像印刷用紙の説明図である。
図３６は、前記図３２の元画像データを分割して印刷した分割画像印刷用紙の説明図であり、図３６Ａは４ページ目の分割画像印刷用紙の説明図、図３６Ｂは５ページ目の分割画像印刷用紙の説明図である。
したがって、前記各設定によって自動回転や分割印刷順序が設定されたデータに基づいて、図３５，図３６に示す分割画像が印刷される。
【０１５８】
図３７は、頁調節有りを指定して前記図３２の元画像データを分割して印刷した分割画像印刷用紙の説明図であり、図３７Ａは１ページ目の分割画像印刷用紙の説明図、図３７Ｂは２ページ目の分割画像印刷用紙の説明図、図３７Ｃは３ページ目の分割画像印刷用紙の説明図である。
図３８は、頁調節有りを指定して前記図３２の元画像データを分割して印刷した分割画像印刷用紙の説明図であり、図３８Ａは４ページ目の分割画像印刷用紙の説明図、図３８Ｂは５ページ目の分割画像印刷用紙の説明図、図３８Ｃは６ページ目の分割画像印刷用紙の説明図である。
前記図３２の元画像を頁調節「無し（行わない）」を指定して印刷した場合、図３５，図３６に示す画像が印刷される。このとき、両面印刷が指定されているので、実ページ数１のページ、即ち、図３５Ａの画像が印刷された印刷用紙の裏面に図３５Ｂの画像が印刷される。このように印刷されると、右側で綴じた場合、綴じた後の印刷用紙束を見開いた時に、実ページ数１ページと２ページの画像が表裏に配置されているので、連続画像が形成されない。
【０１５９】
これに対し、前記図３２の元画像を頁調節「有り（行う）」を指定して印刷した場合、図３７，図３８に示すように印刷される。即ち、図３５Ａ、図３５Ｂのページにおいて、２ページ目の横分割位置表示値（１）が１ページ目の横分割位置情報表示値（２）より１小さく、且つ、右綴じなので、１ページ目に白紙のページが挿入され（図１９のＳＴ２１２，ＳＴ２１３参照）、実ページ数が１つずつ後にずれる。一方、元画像の３ページの分割印刷画像は、図３８Ｂ，図３８Ｃに示すように、図３８Ｂの縦分割位置表示値（１）が、図３８Ｃの縦分割位置表示値（２）であるが、右綴じなので、頁調節は実行されない。
前記頁調節処理の結果、白紙のページ１（図３７Ａ）の裏面にページ２（図３７Ｂ）が印刷され、ページ３（図３７Ｃ）の裏面にページ４（図３８Ａ）が印刷される。そして、前記分割画像印刷用紙を右側で綴じた場合、ページ２とページ３が見開き時に連続画像となる。
【０１６０】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（Ｈ０１）前記実施の形態において、クライアントパソコンＰＣにおいて分割設定処理を実行せず、プリンタサーバＰＳのみで分割設定処理を実行するよう構成することも可能である。また、逆に、ワークステーションＷＳやデータベースサーバＤＢＳ等で分割設定処理を実行可能に構成することも可能である。
（Ｈ０２）前記実施の形態において、前記プリンタサーバＰＳの分割印刷処理等の全ての処理をクライアントパソコンＰＣで実行可能に構成し、プリンタサーバＰＳを省略して、クライアントパソコンＰＣにプリンタを直接接続するよう構成することも可能である。
【０１６１】
（Ｈ０３）前記実施の形態において、プリンタサーバＰＳにおけるＳＴ１０６〜ＳＴ１１０等の印刷処理をプリンタＰｒで実行し、その他のプリンタサーバＰＳの処理をクライアントパソコンＰＣで実行するよう構成することによってプリンタサーバＰＳを省略することも可能である。
（Ｈ０４）前記実施の形態において、印刷パラメータ設定プログラムＰ１や印刷データ作成プログラムＰ２は、ハードディスクドライブ以外のコンピュータが読取り可能な記憶媒体（光磁気ディスク装置、光ディスク装置、磁気ディスク装置あるいはメモリスロット等）に記憶したり、可搬型の記録媒体（フレキシブルディスクや光磁気ディスク、光ディスク、磁気ディスク、フラッシュメモリ等）に記憶することも可能である。また、例えばネットワークなどの通信手段を介して各プログラムをクライアントパソコンＰＣ等に転送し、クライアントパソコンＰＣ内の記憶媒体に格納して実行させることも可能である。
【０１６２】
（Ｈ０５）前記実施の形態において、綴じ位置は、「上綴じ」、「下綴じ」、「左綴じ」、「右綴じ」の４つの設定であったが、「上下綴じ」と「左右綴じ」の２つを設定するよう構成することも可能である。
【０１６３】
【発明の効果】
前述の本発明は、下記の効果（Ｋ０１）〜（Ｋ０５）を奏することができる。
（Ｋ０１）印刷用紙サイズよりも元画像サイズが大きな場合に元画像サイズの元画像全てを、縮小せずに印刷することができる。
（Ｋ０２）印刷された画像と元画像との対応を画像が印刷された印刷画像用紙から把握できるようにすることができる。
（Ｋ０３）元画像を回転した状態で印刷した場合に、使用枚数が少なくなるか否かを判別し、少なくなる場合に回転して印刷することによって、使用枚数を削減し、用紙の無駄をなくし、印刷コストを抑えることができる。
（Ｋ０４）印刷パラメータ設定画面に表示して各パラメータを指定することによって、ユーザが確認しながら印刷パラメータを指定することができる。
（Ｋ０５）自動回転方向や分割印刷順序、画像位置を自動で設定することによって、ユーザの手間を省き、ユーザの負担を軽減できる。
【図面の簡単な説明】
【図１】図１は本発明の印刷処理システムの実施の形態１の説明図である。
【図２】図２は前記図１に示す印刷処理システムのクライアントパソコンの機能をブロック図（機能ブロック図）で示した図である。
【図３】図３は本発明の印刷パラメータ設定プログラムの機能実現手段によってクライアントパソコン又はプリンタサーバのディスプレイに表示される分割印刷設定画面の説明図である。
【図４】図４はクライアントパソコンに組み込まれているアプリケーションプログラムの印刷開始入力画面の説明図である。
【図５】図５は前記図１に示す印刷処理システムのプリンタサーバ及びプリンタの機能をブロック図（機能ブロック図）で示した図である。
【図６】図６は本発明の印刷情報処理手段の機能実現手段によってプリンタサーバのディスプレイに表示されるメイン画面の説明図である。
【図７】図７は本発明の実施の形態１の印刷処理システムのクライアントパソコンにおける印刷設定処理のフローチャートである。
【図８】図８は、前記図７の印刷設定処理の分割設定処理のサブルーチンのフローチャートである。
【図９】図９は前記図８の分割設定処理における分割順変更処理のサブルーチンのフローチャートである。
【図１０】図１０は分割順選択画面の説明図である。
【図１１】図１１は前記図８の画像位置設定処理における画像位置設定処理のサブルーチンのフローチャートである。
【図１２】図１２は画像位置選択画面の説明図である。
【図１３】図１３は本発明の実施の形態１の印刷処理システムのプリンタサーバにおける処理のメインフローチャートである。
【図１４】図１４は前記図１３のプリンタサーバの処理における分割印刷処理のサブルーチンのフローチャートである。
【図１５】図１５は前記図１４の分割印刷処理における印刷画像データ分割設定処理のサブルーチンのフローチャートである。
【図１６】図１６は前記図１５の印刷画像データ分割設定処理における回転方向設定処理のサブルーチンのフローチャートである。
【図１７】図１７は前記図１５の印刷画像データ分割設定処理における分割順設定処理のサブルーチンのフローチャートである。
【図１８】図１８は前記図１５の印刷画像データ分割設定処理における画像位置設定処理のサブルーチンのフローチャートである。
【図１９】図１９は前記図１４の分割印刷処理におけるページ調節処理のサブルーチンのフローチャートである。
【図２０】図２０は、実施の形態１の具体例１の元画像データの説明図であり、図２０Ａは１ページ目の元画像の説明図、図２０Ｂは２ページ目の元画像の説明図、図２０Ｃは３ページ目の元画像の説明図である。
【図２１】図２１は前記図２０の２ページ目の元画像データを分割した分割画像の説明図であり、図２１Ａは左側の分割画像の説明図、図２１Ｂは右側の分割画像の説明図である。
【図２２】図２２は前記図２０の３ページ目の元画像データを回転せずに分割した分割画像の説明図であり、図２２Ａは左上の分割画像の説明図、図２２Ｂは右上の分割画像の説明図、図２２Ｃは左下の分割画像の説明図、図２２Ｄは右下の分割画像の説明図である。
【図２３】図２３は前記図２０の３ページ目の元画像データを回転した後分割した分割画像の説明図であり、図２３Ａは左側の分割画像の説明図、図２３Ｂは右側の分割画像の説明図である。
【図２４】図２４は、前記図２０の元画像データを分割して印刷した分割画像印刷用紙の説明図であり、図２４Ａは１ページ目の分割画像印刷用紙の説明図、図２４Ｂは２ページ目の分割画像印刷用紙の説明図、図２４Ｃは３ページ目の分割画像印刷用紙の説明図である。
【図２５】図２５は、前記図２０の元画像データを分割して印刷した分割画像印刷用紙の説明図であり、図２５Ａは４ページ目の分割画像印刷用紙の説明図、図２５Ｂは５ページ目の分割画像印刷用紙の説明図である。
【図２６】図２６は、前記図２０の元画像データの３ページを回転せずに分割して印刷した場合の分割画像印刷用紙の説明図であり、図２６Ａは４ページ目の分割画像印刷用紙の説明図、図２６Ｂは５ページ目の分割画像印刷用紙の説明図、図２６Ｃは６ページ目の分割画像印刷用紙の説明図、図２６Ｄは７ページ目の分割画像印刷用紙の説明図である。
【図２７】図２７は、実施の形態１の具体例２の元画像データの説明図であり、図２７Ａは１ページ目の元画像の説明図、図２７Ｂは２ページ目の元画像の説明図、図２７Ｃは３ページ目の元画像の説明図である。
【図２８】図２８は前記図２７の２ページ目の元画像データを分割した分割画像の説明図であり、図２８Ａは自動回転をしない場合の分割画像の説明図、図２８Ｂは自動回転を行う場合の分割画像の説明図である。
【図２９】図２９は前記図２７の３ページ目の元画像データを分割した分割画像の説明図であり、図２９Ａは回転せずに分割した分割画像の説明図、図２９Ｂは回転した後分割した分割画像の説明図である。
【図３０】図３０は、前記図２７の元画像データを分割して印刷した分割画像印刷用紙の説明図であり、図２７Ａは１ページ目の分割画像印刷用紙の説明図、図２７Ｂは２ページ目の分割画像印刷用紙の説明図、図２７Ｃは３ページ目の分割画像印刷用紙の説明図である。
【図３１】図３１は、前記図２７の元画像データを分割して印刷した分割画像印刷用紙の説明図であり、図３１Ａは４ページ目の分割画像印刷用紙の説明図、図３１Ｂは５ページ目の分割画像印刷用紙の説明図、図３１Ｃは６ページ目の分割画像印刷用紙の説明図、図３１Ｄは７ページ目の分割画像印刷用紙の説明図である。
【図３２】図３２は、実施の形態１の具体例３の元画像データの説明図であり、図３２Ａは１ページ目の元画像の説明図、図３２Ｂは２ページ目の元画像の説明図、図３２Ｃは３ページ目の元画像の説明図である。
【図３３】図３３は前記図３２の１ページ目の元画像データを分割した分割画像の説明図であり、図３３Ａは自動回転をしない場合の分割画像の説明図、図３３Ｂは自動回転を行う場合の分割画像の説明図である。
【図３４】図３４は前記図３２の３ページ目の元画像データを分割した分割画像の説明図であり、図３４Ａは回転せずに分割した分割画像の説明図、図３４Ｂは回転した後分割した分割画像の説明図である。
【図３５】図３５は、前記図３２の元画像データを分割して印刷した分割画像印刷用紙の説明図であり、図３５Ａは１ページ目の分割画像印刷用紙の説明図、図３５Ｂは２ページ目の分割画像印刷用紙の説明図、図３５Ｃは３ページ目の分割画像印刷用紙の説明図である。
【図３６】図３６は、前記図３２の元画像データを分割して印刷した分割画像印刷用紙の説明図であり、図３６Ａは４ページ目の分割画像印刷用紙の説明図、図３６Ｂは５ページ目の分割画像印刷用紙の説明図である。
【図３７】図３７は、頁調節有りを指定して前記図３２の元画像データを分割して印刷した分割画像印刷用紙の説明図であり、図３７Ａは１ページ目の分割画像印刷用紙の説明図、図３７Ｂは２ページ目の分割画像印刷用紙の説明図、図３７Ｃは３ページ目の分割画像印刷用紙の説明図である。
【図３８】図３８は、頁調節有りを指定して前記図３２の元画像データを分割して印刷した分割画像印刷用紙の説明図であり、図３８Ａは４ページ目の分割画像印刷用紙の説明図、図３８Ｂは５ページ目の分割画像印刷用紙の説明図、図３８Ｃは６ページ目の分割画像印刷用紙の説明図である。
【図３９】図３９は従来の画像処理装置における印刷画像データ作成処理のフローチャートである。
【図４０】図４０は印刷対象となる元画像データの一例の説明図であり、図４０Ａは１ページ目、元画像サイズＡ４縦の元画像の説明図、図４０Ｂは２ページ目、元画像サイズＡ３横の元画像の説明図、図４０Ｃは３ページ目、元画像サイズＡ３縦の元画像の説明図である。
【図４１】図４１は前記図４０の元画像を前記図３９に示す印刷画像データ作成処理で印刷した場合の印刷画像の説明図であり、図４１Ａは１ページ目の印刷画像の説明図、図４１Ｂは２ページ目の印刷画像の説明図、図４１Ｃは３ページ目の印刷画像の説明図である。
【符号の説明】
Ｃ１，Ｃ３１Ａ…元画像記憶手段、Ｃ２…印刷パラメータ設定画面表示手段、Ｃ４…分割印刷指定手段、Ｃ４Ａ…分割印刷指定画像表示手段、Ｃ４Ｂ…分割印刷可否記憶手段、Ｃ４Ｃ…分割印刷可否初期指定値記憶手段、Ｃ５…分割印刷指定データ作成手段、Ｃ６…自動回転指定手段、Ｃ６Ａ…自動回転指定画像表示手段、Ｃ６Ｂ…自動回転指定有無記憶手段、Ｃ６Ｃ…自動回転方向初期指定値記憶手段、Ｃ７…綴じ位置指定手段、Ｃ７Ａ…綴じ位置指定画像表示手段、Ｃ７Ｂ…綴じ位置記憶手段、Ｃ７Ｃ…綴じ位置指定初期値記憶手段、Ｃ８…分割印刷順序指定手段、Ｃ８Ａ…分割印刷順序指定画像表示手段、Ｃ８Ｂ…分割印刷順序記憶手段、Ｃ８Ｃ…分割印刷順序自動設定指定手段、Ｃ８Ｃ１…分割印刷順序自動指定画像表示手段、Ｃ８Ｃ２…分割印刷順序自動設定指定記憶手段、Ｃ９…画像位置指定手段、Ｃ９Ａ…画像位置指定画像表示手段、Ｃ９Ｂ…画像位置記憶手段、Ｃ１０…分割位置情報割付指定手段、Ｃ１０Ａ…分割位置情報割付指定画像表示手段、Ｃ１０Ｂ…分割位置情報割付指定記憶手段、Ｃ１１…基準方向情報指定手段、Ｃ１１Ａ…基準方向情報割付指定画像表示手段、Ｃ１１Ｂ…基準方向情報割付指定記憶手段、Ｃ１２…頁調節指定手段、Ｃ１２Ａ…頁調節指定画像表示手段、Ｃ１２Ｂ…頁調節指定有無記憶手段、Ｃ３５Ａ…回転前後使用用紙枚数判別手段、Ｃ３５Ｂ…自動回転設定手段、Ｃ３５Ｂ１…自動回転方向自動設定手段、Ｃ３５Ｃ…綴じ位置設定手段、Ｃ３５Ｄ…分割印刷順序設定手段、Ｃ３５Ｄ１…分割印刷順序自動設定手段、Ｃ３５Ｅ…画像位置設定手段、Ｃ３５Ｅ１…画像位置自動設定手段、Ｃ３５Ｆ…分割位置情報割付手段、Ｃ３５Ｇ…基準方向情報割付手段、Ｃ３５Ｈ…連続画像判別手段、Ｃ３５Ｉ…頁調節手段、Ｃ３６…分割印刷画像データ作成手段、１…印刷パラメータ設定画面、４…分割印刷指定画像、５…自動回転指定画像、６…綴じ位置指定画像、７…分割印刷順序指定画像、７ａ…分割印刷順序自動指定画像、８…画像位置指定画像、９…分割位置情報割付指定画像、１０…基準方向情報割付指定画像、１１…頁調節指定画像。
【図１】
2004289651.tif 000003
【図２】
2004289651.tif 000004
【図３】
2004289651.tif 000005
【図４】
2004289651.tif 000006
【図５】
2004289651.tif 000007
【図６】
2004289651.tif 000008
【図７】
2004289651.tif 000009
【図８】
2004289651.tif 000010
【図９】
2004289651.tif 000011
【図１０】
2004289651.tif 000012
【図１１】
2004289651.tif 000013
【図１２】
2004289651.tif 000014
【図１３】
2004289651.tif 000015
【図１４】
2004289651.tif 000016
【図１５】
2004289651.tif 000017
【図１６】
2004289651.tif 000018
【図１７】
2004289651.tif 000019
【図１８】
2004289651.tif 000020
【図１９】
2004289651.tif 000021
【図２０】
2004289651.tif 000022
【図２１】
2004289651.tif 000023
【図２２】
2004289651.tif 000024
【図２３】
2004289651.tif 000025
【図２４】
2004289651.tif 000026
【図２５】
2004289651.tif 000027
【図２６】
2004289651.tif 000028
【図２７】
2004289651.tif 000029
【図２８】
2004289651.tif 000030
【図２９】
2004289651.tif 000031
【図３０】
2004289651.tif 000032
【図３１】
2004289651.tif 000033
【図３２】
2004289651.tif 000034
【図３３】
2004289651.tif 000035
【図３４】
2004289651.tif 000036
【図３５】
2004289651.tif 000037
【図３６】
2004289651.tif 000038
【図３７】
2004289651.tif 000039
【図３８】
2004289651.tif 000040
【図３９】
2004289651.tif 000041
【図４０】
2004289651.tif 000042
【図４１】
2004289651.tif 000043